(57)【要約】【課題】ディスク種類およびアプリケーションフォーマットを容易に決定することを可能とした装置および方法を提供する。【解決手段】対話形式のガイド情報を表示部に表示し、ガイド情報に対するユーザ入力に基づいて、ディスクに対する記録データの利用態様を判別して、記録処理に適用するディスク種別やアプリケーションフォーマットを決定する。本構成により、ユーザは、表示部に表示される質問に対して、順次応答するのみで、用途に応じた最適なディスクとアプリケーションフォーマットを選択することができ、最適なディスクに対して最適なアプリケーションフォーマットを適用したデータ記録をスムーズに開始できる。【選択図】図４
2008021343.tif 000002
【特許請求の範囲】
【請求項１】
記録メディアとしてディスクを装着し、ディスクに対するデータ記録処理を実行する情報処理装置であり、
情報表示処理を行なう表示部と、
ユーザに対する所定の質問情報を含むガイド情報を前記表示部に表示するとともに、表示された前記ガイド情報に対する入力部を介したユーザ入力の解析処理を行なう制御部を有し、
前記制御部は、
前記表示部に表示するガイド情報に対するユーザ入力に基づいて、ディスクに対する記録データの利用態様を判別して、記録処理に適用するディスク種別またはアプリケーションフォーマットの少なくともいずれかを決定する処理を実行する構成であることを特徴とする情報処理装置。
【請求項２】
前記制御部は、
ディスクに対する記録データの利用態様に応じた最適なディスク種類とアプリケーションフォーマットの組み合わせの設定情報に基づき、
前記表示部に表示するガイド情報に対するユーザ入力に応じて、ディスクに対する記録データの利用態様を判別して、記録処理に適用するディスク種別またはアプリケーションフォーマットの少なくともいずれかを決定する処理を実行する構成であることを特徴とする請求項１に記載の情報処理装置。
【請求項３】
前記ガイド情報は、少なくとも記録データの画質に関する質問情報を含むことを特徴とする請求項１に記載の情報処理装置。
【請求項４】
前記ガイド情報は、少なくとも前記ディスクに記録される記録データに対する編集処理に関する質問情報を含むことを特徴とする請求項１に記載の情報処理装置。
【請求項５】
前記ガイド情報は、少なくとも前記記録データが記録された前記ディスクを該情報処理装置以外の装置にて再生するか否かに関する質問情報を含むことを特徴とする請求項１に記載の情報処理装置。
【請求項６】
前記ガイド情報は、少なくとも前記ディスクに対して前記記録データを繰り返し記録するか否かに関する質問情報を含むことを特徴とする請求項１に記載の情報処理装置。
【請求項７】
前記制御部は、
高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面を前記表示部に表示し、該画質確認ガイド画面に対するユーザ入力に応じて、記録処理に適用するディスク種別またはアプリケーションフォーマットの少なくともいずれかを決定する処理を実行する構成であることを特徴とする請求項１に記載の情報処理装置。
【請求項８】
前記制御部は、
ディスクに記録されるデータの保存を希望するか、ディスクに記録されるデータを消去してディスクを再利用することを希望するかのディスク利用確認ガイド画面を前記表示部に表示し、該ディスク利用確認ガイド画面に対するユーザ入力に応じて、記録処理に適用するディスク種別またはアプリケーションフォーマットの少なくともいずれかを決定する処理を実行する構成であることを特徴とする請求項１に記載の情報処理装置。
【請求項９】
前記制御部は、
ディスクに記録されるデータの他機器での再生を希望するか、ディスクに記録されるデータの自機器での編集を希望するかの記録データ利用確認ガイド画面を前記表示部に表示し、該記録データ利用確認ガイド画面に対するユーザ入力に応じて、記録処理に適用するディスク種別またはアプリケーションフォーマットの少なくともいずれかを決定する処理を実行する構成であることを特徴とする請求項１に記載の情報処理装置。
【請求項１０】
前記制御部は、
情報処理装置にディスクが装着されていない場合において、
前記表示部に表示するガイド情報に対するユーザ入力に応じて、ディスクに対する記録データの利用態様を判別して、記録処理に適した推奨するディスクの種類を決定して、決定したディスク種類の装着を進めるディスク装着要求ガイド画面を前記表示部に表示する処理を実行する構成であることを特徴とする請求項１に記載の情報処理装置。
【請求項１１】
前記制御部は、
前記ディスク装着要求ガイド画面に、各ディスクの種類に応じた識別マークを表示する処理を実行する構成であることを特徴とする請求項１０に記載の情報処理装置。
【請求項１２】
前記制御部は、
情報処理装置にディスクが装着されている場合において、
装着ディスクのディスク種類を判別し、
判別したディスクに対する記録処理に適用するアプリケーションフォーマットを、前記表示部に表示するガイド情報に対するユーザ入力に応じて決定する処理を実行する構成であることを特徴とする請求項１に記載の情報処理装置。
【請求項１３】
前記制御部は、
情報処理装置の装着ディスクが未使用ディスクであることが検出された場合、
初期化処理の開始画面を前記表示部に表示した後、前記表示部にガイド情報を表示して、該ガイド情報に対するユーザ入力に応じて、ディスクに対する記録データの利用態様を判別して、記録処理に適用するアプリケーションフォーマットを決定する処理を実行する構成であることを特徴とする請求項１に記載の情報処理装置。
【請求項１４】
記録メディアとしてディスクを装着し、ディスクに対するデータ記録処理を実行する情報処理装置における情報処理方法であり、
制御部において、ユーザに対する所定の質問情報を含むガイド情報を表示部に表示するガイド情報表示ステップと、
前記制御部において、前記ガイド情報に対する入力部を介したユーザ入力の解析処理に基づいて、ディスクに対する記録データの利用態様を判別して、記録処理に適用するディスク種別またはアプリケーションフォーマットの少なくともいずれかを決定する処理を実行する決定処理ステップと、
を有することを特徴とする情報処理方法。
【請求項１５】
前記決定処理ステップは、
ディスクに対する記録データの利用態様に応じた最適なディスク種類とアプリケーションフォーマットの組み合わせの設定情報に基づき、
前記ガイド情報に対するユーザ入力に応じて、ディスクに対する記録データの利用態様を判別して、記録処理に適用するディスク種別またはアプリケーションフォーマットの少なくともいずれかを決定するステップであることを特徴とする請求項１４に記載の情報処理方法。
【請求項１６】
前記ガイド情報は、少なくとも記録データの画質に関する質問情報を含むことを特徴とする請求項１４に記載の情報処理方法。
【請求項１７】
前記ガイド情報は、少なくとも前記ディスクに記録される記録データに対する編集処理に関する質問情報を含むことを特徴とする請求項１４に記載の情報処理方法。
【請求項１８】
前記ガイド情報は、少なくとも前記記録データが記録された前記ディスクを該情報処理装置以外の装置にて再生するか否かに関する質問情報を含むことを特徴とする請求項１４に記載の情報処理方法。
【請求項１９】
前記ガイド情報は、少なくとも前記ディスクに対して前記記録データを繰り返し記録するか否かに関する質問情報を含むことを特徴とする請求項１４に記載の情報処理方法。
【請求項２０】
前記決定処理ステップは、
高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面を前記表示部に表示し、該画質確認ガイド画面に対するユーザ入力に応じて、記録処理に適用するディスク種別またはアプリケーションフォーマットの少なくともいずれかを決定する処理を実行するステップを含むことを特徴とする請求項１４に記載の情報処理方法。
【請求項２１】
前記決定処理ステップは、
ディスクに記録されるデータの保存を希望するか、ディスクに記録されるデータを消去してディスクを再利用することを希望するかのディスク利用確認ガイド画面を前記表示部に表示し、該ディスク利用確認ガイド画面に対するユーザ入力に応じて、記録処理に適用するディスク種別またはアプリケーションフォーマットの少なくともいずれかを決定する処理を実行するステップを含むことを特徴とする請求項１４に記載の情報処理方法。
【請求項２２】
前記決定処理ステップは、
ディスクに記録されるデータの他機器での再生を希望するか、ディスクに記録されるデータの自機器での編集を希望するかの記録データ利用確認ガイド画面を前記表示部に表示し、該記録データ利用確認ガイド画面に対するユーザ入力に応じて、記録処理に適用するディスク種別またはアプリケーションフォーマットの少なくともいずれかを決定する処理を実行するステップを含むことを特徴とする請求項１４に記載の情報処理方法。
【請求項２３】
前記情報処理方法は、さらに、
前記制御部の制御の下、情報処理装置にディスクが装着されていない場合において、前記表示部に表示するガイド情報に対するユーザ入力に応じて、ディスクに対する記録データの利用態様を判別して、記録処理に適した推奨するディスクの種類を決定して、決定したディスク種類の装着を進めるディスク装着要求ガイド画面を前記表示部に表示するディスク装着要求ガイド画面表示ステップを実行することを特徴とする請求項１４に記載の情報処理方法。
【請求項２４】
前記ディスク装着要求ガイド画面表示ステップは、
前記ディスク装着要求ガイド画面に、各ディスクの種類に応じた識別マークを表示する処理を実行するステップであることを特徴とする請求項２３に記載の情報処理方法。
【請求項２５】
前記情報処理方法は、さらに、
前記制御部において、情報処理装置にディスクが装着されている場合、装着ディスクのディスク種類を判別し、判別したディスクに対する記録処理に適用するアプリケーションフォーマットを、前記表示部に表示するガイド情報に対するユーザ入力に応じて決定する処理を実行することを特徴とする請求項１４に記載の情報処理方法。
【請求項２６】
前記情報処理方法は、さらに、
前記制御部において、情報処理装置の装着ディスクが未使用ディスクであることが検出された場合、初期化処理の開始画面を前記表示部に表示した後、前記表示部にガイド情報を表示して、該ガイド情報に対するユーザ入力に応じて、ディスクに対する記録データの利用態様を判別して、記録処理に適用するアプリケーションフォーマットを決定する処理を実行することを特徴とする請求項１４に記載の情報処理方法。
【請求項２７】
記録メディアとしてディスクを装着し、ディスクに対するデータ記録処理を実行する情報処理装置において情報処理を実行させるコンピュータ・プログラムであり、
制御部において、ユーザに対する所定の質問情報を含むガイド情報を表示部に表示させるガイド情報表示ステップと、
前記制御部において、前記ガイド情報に対する入力部を介したユーザ入力の解析処理に基づいて、ディスクに対する記録データの利用態様を判別して、記録処理に適用するディスク種別またはアプリケーションフォーマットの少なくともいずれかを決定する処理を実行させる決定処理ステップと、
を実行させることを特徴とするコンピュータ・プログラム。
【発明の詳細な説明】
【技術分野】
【０００１】
本発明は、情報処理装置、および情報処理方法、並びにコンピュータ・プログラムに関する。特に、例えばビデオカメラなど記録メディアとしてＤＶＤ（Ｄｉｇｉｔａｌ  Ｖｅｒｓａｔｉｌｅ  Ｄｉｓｃ）などのディスクを利用した記録処理を行なう装置において、最適なディスクまたはアプリケーションフォーマットの選択を容易に行なうことを可能とした情報処理装置、および情報処理方法、並びにコンピュータ・プログラムに関する。
【０００２】
さらに、詳細には、ディスクまたはアプリケーションフォーマットの選択のために、ディスプレイにガイド表示を行ないウイザード形式（対話形式）での選択を可能として、容易に最適なディスクまたはアプリケーションフォーマットの選択を可能とした情報処理装置、および情報処理方法、並びにコンピュータ・プログラムに関する。
【背景技術】
【０００３】
ビデオカメラなど様々な情報記録装置において記録媒体としてＤＶＤ（Ｄｉｇｉｔａｌ  Ｖｅｒｓａｔｉｌｅ  Ｄｉｓｃ）が利用されている。しかしながら、ＤＶＤには様々な種類があり、ユーザはどの種類のＤＶＤを利用すべきか迷うことが少なくない。ＤＶＤの種類としては、例えば、ＤＶＤ−Ｒ、ＤＶＤ＋Ｒ、ＤＶＤ−ＲＷ、ＤＶＤ＋ＲＷなどの種類がある。多くのユーザは、これらのどのディスクが最適であるかについて的確に判断することは難しい。
【０００４】
さらに、ディスク種類の選定の後、実際にＤＶＤに対するデータ記録を開始する前に、フォーマット処理を行なうことが必要となる。すなわち、特定のアプリケーションフォーマットを決定して、決定したアプリケーションフォーマットに従ってデータ記録を行なうことになる。しかし、このアプリケーションフォーマットにも複数の種類がある。
【０００５】
例えば、ＤＶＤ−Ｖｉｄｅｏフォーマット、ＤＶＤ＋ＲＷ  Ｖｉｄｅｏフォーマット、ＤＶＤ  Ｖｉｄｅｏ  Ｒｅｃｏｒｄｉｎｇフォーマット（ＶＲフォーマット）などがある。これらのフォーマットは、それぞれ、ディスクに記録したデータの編集の容易性や、他のプレーヤでの再生のための処理としてファイナライズ処理が必要であるか否かなどの差異がある。
【０００６】
しかし、一般的なユーザは、このようなアプリケーションフォーマットの種類や差異について明確に知らないことが多く、どのアプリケーションフォーマットで記録すべきかをユーザが判断するのは困難であるという問題がある。
【０００７】
しかしながら、ユーザがデータ記録を行なう場合、高画質で記録したい場合、通常画質で長時間記録したい場合、記録データの編集を行ないたい場合、記録データの編集を行なわず保存を目的とする場合など、様々な目的があり、これらの目的に対応した最適なディスク選択、アプリケーションフォーマットの選択を行なうことが好ましい。
【発明の開示】
【発明が解決しようとする課題】
【０００８】
本発明は、上述の状況に鑑みてなされたものであり、例えばビデオカメラなどＤＶＤなどのディスクを利用した記録処理を行なう装置において、最適なディスクまたはアプリケーションフォーマットの選択を容易に行なうことを可能とした情報処理装置、および情報処理方法、並びにコンピュータ・プログラムを提供することを目的とする。
【０００９】
さらに、詳細には、ディスクまたはアプリケーションフォーマットの選択のために、ディスプレイにガイド表示を行ないウイザード形式（対話形式）での選択を可能として、容易に最適なディスクまたはアプリケーションフォーマットの選択を可能とした情報処理装置、および情報処理方法、並びにコンピュータ・プログラムを提供することを目的とする。
【課題を解決するための手段】
【００１０】
本発明の第１の側面は、
記録メディアとしてディスクを装着し、ディスクに対するデータ記録処理を実行する情報処理装置であり、
情報表示処理を行なう表示部と、
ユーザに対する所定の質問情報を含むガイド情報を前記表示部に表示するとともに、表示された前記ガイド情報に対する入力部を介したユーザ入力の解析処理を行なう制御部を有し、
前記制御部は、
前記表示部に表示するガイド情報に対するユーザ入力に基づいて、ディスクに対する記録データの利用態様を判別して、記録処理に適用するディスク種別またはアプリケーションフォーマットの少なくともいずれかを決定する処理を実行する構成であることを特徴とする情報処理装置にある。
【００１１】
さらに、本発明の情報処理装置の一実施態様において、前記制御部は、ディスクに対する記録データの利用態様に応じた最適なディスク種類とアプリケーションフォーマットの組み合わせの設定情報に基づき、前記表示部に表示するガイド情報に対するユーザ入力に応じて、ディスクに対する記録データの利用態様を判別して、記録処理に適用するディスク種別またはアプリケーションフォーマットの少なくともいずれかを決定する処理を実行する構成であることを特徴とする。
【００１２】
さらに、本発明の情報処理装置の一実施態様において、前記ガイド情報は、少なくとも記録データの画質に関する質問情報を含むことを特徴とする。
【００１３】
さらに、本発明の情報処理装置の一実施態様において、前記ガイド情報は、少なくとも前記ディスクに記録される記録データに対する編集処理に関する質問情報を含むことを特徴とする。
【００１４】
さらに、本発明の情報処理装置の一実施態様において、前記ガイド情報は、少なくとも前記記録データが記録された前記ディスクを該情報処理装置以外の装置にて再生するか否かに関する質問情報を含むことを特徴とする。
【００１５】
さらに、本発明の情報処理装置の一実施態様において、前記ガイド情報は、少なくとも前記ディスクに対して前記記録データを繰り返し記録するか否かに関する質問情報を含むことを特徴とする。
【００１６】
さらに、本発明の情報処理装置の一実施態様において、前記制御部は、高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面を前記表示部に表示し、該画質確認ガイド画面に対するユーザ入力に応じて、記録処理に適用するディスク種別またはアプリケーションフォーマットの少なくともいずれかを決定する処理を実行する構成であることを特徴とする。
【００１７】
さらに、本発明の情報処理装置の一実施態様において、前記制御部は、ディスクに記録されるデータの保存を希望するか、ディスクに記録されるデータを消去してディスクを再利用することを希望するかのディスク利用確認ガイド画面を前記表示部に表示し、該ディスク利用確認ガイド画面に対するユーザ入力に応じて、記録処理に適用するディスク種別またはアプリケーションフォーマットの少なくともいずれかを決定する処理を実行する構成であることを特徴とする。
【００１８】
さらに、本発明の情報処理装置の一実施態様において、前記制御部は、ディスクに記録されるデータの他機器での再生を希望するか、ディスクに記録されるデータの自機器での編集を希望するかの記録データ利用確認ガイド画面を前記表示部に表示し、該記録データ利用確認ガイド画面に対するユーザ入力に応じて、記録処理に適用するディスク種別またはアプリケーションフォーマットの少なくともいずれかを決定する処理を実行する構成であることを特徴とする。
【００１９】
さらに、本発明の情報処理装置の一実施態様において、前記制御部は、情報処理装置にディスクが装着されていない場合において、前記表示部に表示するガイド情報に対するユーザ入力に応じて、ディスクに対する記録データの利用態様を判別して、記録処理に適した推奨するディスクの種類を決定して、決定したディスク種類の装着を進めるディスク装着要求ガイド画面を前記表示部に表示する処理を実行する構成であることを特徴とする。
【００２０】
さらに、本発明の情報処理装置の一実施態様において、前記制御部は、前記ディスク装着要求ガイド画面に、各ディスクの種類に応じた識別マークを表示する処理を実行する構成であることを特徴とする。
【００２１】
さらに、本発明の情報処理装置の一実施態様において、前記制御部は、情報処理装置にディスクが装着されている場合において、装着ディスクのディスク種類を判別し、判別したディスクに対する記録処理に適用するアプリケーションフォーマットを、前記表示部に表示するガイド情報に対するユーザ入力に応じて決定する処理を実行する構成であることを特徴とする。
【００２２】
さらに、本発明の情報処理装置の一実施態様において、前記制御部は、情報処理装置の装着ディスクが未使用ディスクであることが検出された場合、初期化処理の開始画面を前記表示部に表示した後、前記表示部にガイド情報を表示して、該ガイド情報に対するユーザ入力に応じて、ディスクに対する記録データの利用態様を判別して、記録処理に適用するアプリケーションフォーマットを決定する処理を実行する構成であることを特徴とする。
【００２３】
さらに、本発明の第２の側面は、
記録メディアとしてディスクを装着し、ディスクに対するデータ記録処理を実行する情報処理装置における情報処理方法であり、
制御部において、ユーザに対する所定の質問情報を含むガイド情報を表示部に表示するガイド情報表示ステップと、
前記制御部において、前記ガイド情報に対する入力部を介したユーザ入力の解析処理に基づいて、ディスクに対する記録データの利用態様を判別して、記録処理に適用するディスク種別またはアプリケーションフォーマットの少なくともいずれかを決定する処理を実行する決定処理ステップと、
を有することを特徴とする情報処理方法にある。
【００２４】
さらに、本発明の情報処理方法の一実施態様において、前記決定処理ステップは、ディスクに対する記録データの利用態様に応じた最適なディスク種類とアプリケーションフォーマットの組み合わせの設定情報に基づき、前記ガイド情報に対するユーザ入力に応じて、ディスクに対する記録データの利用態様を判別して、記録処理に適用するディスク種別またはアプリケーションフォーマットの少なくともいずれかを決定するステップであることを特徴とする。
【００２５】
さらに、本発明の情報処理方法の一実施態様において、前記ガイド情報は、少なくとも記録データの画質に関する質問情報を含むことを特徴とする。
【００２６】
さらに、本発明の情報処理方法の一実施態様において、前記ガイド情報は、少なくとも前記ディスクに記録される記録データに対する編集処理に関する質問情報を含むことを特徴とする。
【００２７】
さらに、本発明の情報処理方法の一実施態様において、前記ガイド情報は、少なくとも前記記録データが記録された前記ディスクを該情報処理装置以外の装置にて再生するか否かに関する質問情報を含むことを特徴とする。
【００２８】
さらに、本発明の情報処理方法の一実施態様において、前記ガイド情報は、少なくとも前記ディスクに対して前記記録データを繰り返し記録するか否かに関する質問情報を含むことを特徴とする。
【００２９】
さらに、本発明の情報処理方法の一実施態様において、前記決定処理ステップは、高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面を前記表示部に表示し、該画質確認ガイド画面に対するユーザ入力に応じて、記録処理に適用するディスク種別またはアプリケーションフォーマットの少なくともいずれかを決定する処理を実行するステップを含むことを特徴とする。
【００３０】
さらに、本発明の情報処理方法の一実施態様において、前記決定処理ステップは、ディスクに記録されるデータの保存を希望するか、ディスクに記録されるデータを消去してディスクを再利用することを希望するかのディスク利用確認ガイド画面を前記表示部に表示し、該ディスク利用確認ガイド画面に対するユーザ入力に応じて、記録処理に適用するディスク種別またはアプリケーションフォーマットの少なくともいずれかを決定する処理を実行するステップを含むことを特徴とする。
【００３１】
さらに、本発明の情報処理方法の一実施態様において、前記決定処理ステップは、ディスクに記録されるデータの他機器での再生を希望するか、ディスクに記録されるデータの自機器での編集を希望するかの記録データ利用確認ガイド画面を前記表示部に表示し、該記録データ利用確認ガイド画面に対するユーザ入力に応じて、記録処理に適用するディスク種別またはアプリケーションフォーマットの少なくともいずれかを決定する処理を実行するステップを含むことを特徴とする。
【００３２】
さらに、本発明の情報処理方法の一実施態様において、前記情報処理方法は、さらに、前記制御部の制御の下、情報処理装置にディスクが装着されていない場合において、前記表示部に表示するガイド情報に対するユーザ入力に応じて、ディスクに対する記録データの利用態様を判別して、記録処理に適した推奨するディスクの種類を決定して、決定したディスク種類の装着を進めるディスク装着要求ガイド画面を前記表示部に表示するディスク装着要求ガイド画面表示ステップを実行することを特徴とする。
【００３３】
さらに、本発明の情報処理方法の一実施態様において、前記ディスク装着要求ガイド画面表示ステップは、前記ディスク装着要求ガイド画面に、各ディスクの種類に応じた識別マークを表示する処理を実行するステップであることを特徴とする。
【００３４】
さらに、本発明の情報処理方法の一実施態様において、前記情報処理方法は、さらに、前記制御部において、情報処理装置にディスクが装着されている場合、装着ディスクのディスク種類を判別し、判別したディスクに対する記録処理に適用するアプリケーションフォーマットを、前記表示部に表示するガイド情報に対するユーザ入力に応じて決定する処理を実行することを特徴とする。
【００３５】
さらに、本発明の情報処理方法の一実施態様において、前記情報処理方法は、さらに、前記制御部において、情報処理装置の装着ディスクが未使用ディスクであることが検出された場合、初期化処理の開始画面を前記表示部に表示した後、前記表示部にガイド情報を表示して、該ガイド情報に対するユーザ入力に応じて、ディスクに対する記録データの利用態様を判別して、記録処理に適用するアプリケーションフォーマットを決定する処理を実行することを特徴とする。
【００３６】
さらに、本発明の第３の側面は、
記録メディアとしてディスクを装着し、ディスクに対するデータ記録処理を実行する情報処理装置において情報処理を実行させるコンピュータ・プログラムであり、
制御部において、ユーザに対する所定の質問情報を含むガイド情報を表示部に表示させるガイド情報表示ステップと、
前記制御部において、前記ガイド情報に対する入力部を介したユーザ入力の解析処理に基づいて、ディスクに対する記録データの利用態様を判別して、記録処理に適用するディスク種別またはアプリケーションフォーマットの少なくともいずれかを決定する処理を実行させる決定処理ステップと、
を実行させることを特徴とするコンピュータ・プログラムにある。
【００３７】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００３８】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００３９】
本発明の一実施例の構成によれば、ユーザに対する対話形式のガイド情報を表示部に表示し、入力部を介するユーザ入力の解析処理を行ない、表示部に表示するガイド情報に対するユーザ入力に基づいて、ディスクに対する記録データの利用態様を判別して、記録処理に適用するディスク種別やアプリケーションフォーマットを決定する構成としたので、ユーザは、情報処理装置の表示部に表示される質問に対して、順次応答するのみで、用途に応じた最適なディスクとアプリケーションフォーマットを選択することができ、さらに選択後において必要となる処理も適確に実行可能となり、最適なディスクに対して最適なアプリケーションフォーマットを適用したデータ記録をスムーズに開始することが可能となる。
【発明を実施するための最良の形態】
【００４０】
以下、図面を参照しながら、本発明の情報処理装置、および情報処理方法、並びにコンピュータ・プログラムの詳細について説明する。
【００４１】
本発明の情報処理装置は、ＤＶＤ（Ｄｉｇｉｔａｌ  Ｖｅｒｓａｔｉｌｅ  Ｄｉｓｃ）などのディスクを記録メディアとしてデータ記録を行なう装置である。以下では、本発明の情報処理装置の一実施例として撮像装置（ビデオカメラ）を例として説明する。なお、本発明は、ビデオカメラに限らず、ディスクを記録メディアとして利用するデータ記録可能な装置において適用可能である。また、以下の実施例では、記録メディアとしてＤＶＤを利用した処理例について説明するが、本発明は、ＤＶＤに限らず、その他、複数の異なる種類が設定されたディスクを記録メディアとして適用する構成において適用可能である。
【００４２】
まず、図１を参照して、情報処理装置（撮像装置）１００における記録メディアの利用例を説明する。情報処理装置１００は、記録メディアとしてディスク（ＤＶＤ）１０２を利用可能である。利用可能なＤＶＤ１０２の種類としては、例えば、図に示すように、［ＤＶＤ−Ｒ］，［ＤＶＤ＋Ｒ］，［ＤＶＤ−ＲＷ］，［ＤＶＤ＋ＲＷ］，［ＤＶＤ＋Ｒ  ＤＬ］がある。
【００４３】
ユーザは、これらの様々な種類のディスクからいずれかの種類のディスクを選択することが必要となる。さらに、ディスク１０２を選択して、情報処理装置１００にセットした後、実際にデータ記録を行なう前にアプリケーションフォーマットを決定して、決定したアプリケーションフォーマットでの記録を行なう。アプリケーションフォーマットには、例えば、［ＤＶＤ−Ｖｉｄｅｏフォーマット］、［ＤＶＤ＋ＲＷ  Ｖｉｄｅｏ  Ｒｅｃｏｒｄｉｎｇフォーマット（＋ＶＲフォーマット）］、［ＤＶＤ  Ｖｉｄｅｏ  Ｒｅｃｏｒｄｉｎｇフォーマット（ＶＲフォーマット）］などがある。
【００４４】
これらのフォーマットは、それぞれ、ディスクに記録したデータの編集の容易性や、他のプレーヤでの再生のための処理としてファイナライズ処理が必要であるか否かなどの差異がある。
【００４５】
本発明の情報処理装置１００では、情報処理装置１００の表示部（ディスプレイ）１２０に、ディスクまたはアプリケーションフォーマットの選択のためのガイド表示を行ないウイザード形式（対話形式）で、ユーザが容易に最適なディスクまたはアプリケーションフォーマットの選択を行なうことを可能としている。
【００４６】
すなわち、情報処理装置１００の記憶部には、ディスクおよびアプリケーションフォーマットの選択を行なうためのガイド処理プログラムが記録され、情報処理装置１００内の制御部（ＣＰＵ）の制御の下に、ウイザード形式（対話形式）のガイド処理プログラムが実行される。
【００４７】
このガイド処理プログラムは、情報処理装置１００の電源ＯＮなどの起動時、あるいは任意のタイミングにおけるユーザ入力に基づく呼び出しによって実行可能である。ガイド処理プログラムは、大きく分けて以下の３種類に状態に応じて異なる処理が実行される。
（Ａ）情報処理装置にディスクが未装着である場合
（Ｂ）情報処理装置に使用ディスクが装着されている場合
（Ｃ）情報処理装置に未使用ディスクが装着されている場合（強制起動）
【００４８】
上記（Ｂ），（Ｃ）の場合は、情報処理装置にディスクが装着されており、情報処理装置がディスクの種別（［ＤＶＤ−Ｒ］，［ＤＶＤ＋Ｒ］，［ＤＶＤ−ＲＷ］，［ＤＶＤ＋ＲＷ］，［ＤＶＤ＋Ｒ  ＤＬ］など）を判別して、判別したディスク種別に応じたガイド処理を実行する。
【００４９】
上記（Ａ）の場合は、情報処理装置にディスクが装着されていないので、目的に応じたディスクの選択についてもガイドを行なうことになる。
なお、（Ａ）〜（Ｃ）のいずれにおいても、ユーザのデータ記録の態様や用途に応じたアプリケーションフォーマットの選択をウイザード形式（対話形式）のガイド処理によって実行する。
【００５０】
具体的なガイド処理シーケンスの説明の前に、ディスクの種類と、アプリケーションフォーマットの種類について説明する。なお、フォーマットには、
（１）物理フォーマット（ディスクの種類に相当）
（２）論理フォーマット（ファイルシステムに相当）
（３）アプリケーションフォーマット（記録アプリケーションが適用する記録フォーマット）
これらの３種類のフォーマットがある。
【００５１】
論理フォーマットは、ファイルシステムに相当し、例えば、ＵＤＦ（Ｕｎｉｖｅｒｓａｌ  Ｄｉｓｃ  Ｆｏｒｍａｔ）、ＵＤＦ  Ｖｅｒ１．０２、ＵＤＦ  Ｖｅｒ．２．００などがあるが、これらは、記録データの用途に応じて変更するメリットは大きくなく、本発明では、この論理フォーマットの選択については扱わない。
【００５２】
物理フォーマット、すなわちディスク種別は、ユーザの記録データの用途、例えばデータ保存が必要か、消去して再書き込みを行ないたいかなどによって選択すべきディスク（物理フォーマット）が異なる。
アプリケーションフォーマットについても、他の再生プレーヤとの互換性や、編集の容易性などが異なり、記録データの利用のしかたによって適当なアプリケーションフォーマットを選択することが重要となる。
本発明では、このディスク種別（物理フォーマット）と、アプリケーションフォーマットの選択を用途に応じた最適なものに選択する処理をウイザード形式（対話形式）のガイド処理によって実行する。
【００５３】
ディスクの種類（物理フォーマット）と、アプリケーションフォーマットの種類について図２、図３を参照して説明する。図２に示すように、主なディスクの種類（物理フォーマット）とその特徴は、以下の通りである。
ＤＶＤ−Ｒ：追記型（１回書き込み）
ＤＶＤ＋Ｒ：追記型（１回書き込み）
ＤＶＤ−ＲＷ：書き換え型（消去、再書き込み可能）
ＤＶＤ＋ＲＷ：書き換え型（消去、再書き込み可能）
ＤＶＤ＋Ｒ  ＤＬ：追記型（１回書き込み）［ＤＶＤ＋Ｒの二層（Ｄｕａｌ  Ｌａｙｅｒ）タイプ］
【００５４】
また、図３に示すように、主なアプリケーションフォーマットの種類とその特徴は、以下の通りである。
ＤＶＤ−Ｖｉｄｅｏ（略称ＶＩＤＥＯ）：多くのＤＶＤプレーヤで再生可能（互換性が高い）
ＤＶＤ＋ＲＷ  Ｖｉｄｅｏ  Ｒｅｃｏｒｄｉｎｇ（略称＋ＶＲ）：動画記録に適したフォーマット、互換性が高い、記録コンテンツの編集が容易である。
ＤＶＤ  Ｖｉｄｅｏ  Ｒｅｃｏｒｄｉｎｇ（略称ＶＲ）：動画像のリアルタイム記録に適したフォーマット、バーチャル編集用のプレイリストを適用した処理など高度な編集処理が可能。
ＡＶＣＨＤ（略称ＨＤ）：高画質（ＨＤ：Ｈｉｇｈ  Ｄｅｆｉｎｉｔｉｏｎ）画像の記録に適したフォーマット
主要なアプリケーションフォーマットとしては、上記のフォーマットがある。
【００５５】
次に、本発明の情報処理装置において実行するガイド処理、すなわち、ユーザのデータ記録の態様や用途に応じたディスクまたはアプリケーションフォーマットの選択をウイザード形式（対話形式）でガイドする処理の基本シーケンスについて、図４を参照して説明する。
【００５６】
図４は、本発明の情報処理装置において実行するディスクの種類とアプリケーションフォーマットを決定するための基本シーケンスを示している。先に、説明したように、ガイド処理プログラムは、
（Ａ）情報処理装置にディスクが未装着である場合
（Ｂ）情報処理装置に使用ディスクが装着されている場合
（Ｃ）情報処理装置に未使用ディスクが装着されている場合（強制起動）
これらの各状態のいずれかによって、異なる処理が実行されるが、基本的には、図４の処理シーケンスに従ってディスクの種類とアプリケーションフォーマットの決定がなされる。
【００５７】
図４の最下段（ステップＳ１０５）には、（Ｆ１）〜（Ｆ９）の９個のディスクとアプリケーションフォーマットの組み合わせを示している。図４の（Ｆ１）〜（Ｆ９）には、［ディスク種別（アプリケーションフォーマット）］を示している。すなわち、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ３）ＤＶＤ−ＲＷ（ＡＶＣＨＤ）
（Ｆ４）ＤＶＤ＋ＲＷ（ＡＶＣＨＤ）
（Ｆ５）ＤＶＤ＋Ｒ  ＤＬ（ＶＩＤＥＯ）
（Ｆ６）ＤＶＤ−Ｒ（ＶＩＤＥＯ）
（Ｆ７）ＤＶＤ−ＲＷ（ＶＩＤＥＯ）
（Ｆ８）ＤＶＤ＋ＲＷ（＋ＶＲ）
（Ｆ９）ＤＶＤ−ＲＷ（ＶＲ）
【００５８】
上記９種類のディスク種別とアプリケーションフォーマットの組み合わせを設定し、ユーザのデータ記録の態様や用途に応じて、これらの９種類の組み合わせの中から、最終的な組み合わせを決定する構成としている。なお、図４に示すディスク種別とアプリケーションフォーマットの組み合わせは一例を示すものであり、他の組み合わせを設定してもよい。
【００５９】
図４の処理シーケンスについて説明する。まず、ステップＳ１０１では、
（１ａ）高画質記録としてのＨＤ記録を行なうか、
（１ｂ）標準画質としてのＳＤ記録を行なうか、
をユーザに問い合わせる。
【００６０】
この問い合わせに適用する画質確認ガイド画面、すなわち、高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面の構成例を図５に示す。図５に示すように、本発明の情報処理装置では、情報処理装置１００の表示部（ディスプレイ）１２０に、ウイザード形式（対話形式）でディスクまたはアプリケーションフォーマット選択のためのガイド画面を表示し、ガイド画面に対するユーザの応答入力に応じて、図４に示すシーケンスに従って処理を進める。
【００６１】
図５に示す画質確認ガイド画面２０１は、図４に示すステップＳ１０１に対応するガイド画面であり、
「撮影したい記録画質を選択してください」との問いに対する選択肢として、
［ＨＤ（ハイビジョン）画質で撮影する］
［ＳＤ（標準）画質で撮影する］
これら２つの選択肢が設定され、
いずれかをユーザに選択させて入力させる画面構成となっている。
【００６２】
ユーザは、この問いかけに対して、いずれか一方を選択する。ユーザ入力は、タッチパネルとして構成された表示部１２０に対する操作（タッチ）や、情報処理装置１００の操作ボタンの操作によって実行される。情報処理装置１００の制御部がユーザ入力情報を検出すると、制御部は、ユーザ入力に応じた次のガイド画面を選択して表示部１２０に表示する。
【００６３】
図に示す例において、例えば、［ＨＤ（ハイビジョン）画質で撮影する］を選択した場合、図４に示す処理シーケンス図において、ステップＳ１０２に進む。ステップＳ１０２では、
（２ａ）データ保存か
（２ｂ）消去繰り返し使用か
をユーザに問い合わせる。
【００６４】
この問い合わせに適用するガイド画面、すなわち、ディスクに記録されるデータの保存を希望するか、ディスクに記録されるデータを消去してディスクを再利用することを希望するかのディスク利用確認ガイド画面の構成例を図６に示す。図６に示すディスク利用確認ガイド画面２０２は、図４に示すステップＳ１０２に対応するガイド画面であり、
「撮影したディスクはどのように扱いますか」との問いに対する選択肢として、
［撮影した画像は消さずに保存しておきたい］
［不要な画像を消して繰り返し使いたい］
これら２つの選択肢が設定され、いずれかをユーザに選択させて入力させる画面構成となっている。
【００６５】
ユーザは、この問いかけに対して、いずれか一方を選択する。情報処理装置１００の制御部がユーザ入力情報を検出すると、入力情報に応じて、制御部は、図４の最下段のステップＳ１０５に進み、ステップＳ１０５に示す［ディスク種別（アプリケーションフォーマット）］のいずれかを最終的な選択候補として決定する。この場合は、
［撮影した画像は消さずに保存しておきたい］を選択した場合は、
（Ｆ１）ＤＶＤ＋Ｒ  ＤＬ（ＡＶＣＨＤ）
（Ｆ２）ＤＶＤ−Ｒ  （ＡＶＣＨＤ）
［不要な画像を消して繰り返し使いたい］を選択した場合は、
（Ｆ３）ＤＶＤ−ＲＷ（ＡＶＣＨＤ）
（Ｆ４）ＤＶＤ＋ＲＷ（ＡＶＣＨＤ）
この組み合わせを最終的な選択候補として決定する。
【００６６】
この後の処理については、
（Ａ）情報処理装置にディスクが未装着である場合
（Ｂ）情報処理装置に使用ディスクが装着されている場合
（Ｃ）情報処理装置に未使用ディスクが装着されてる場合（強制起動）
これらの各状態のいずれかによって、異なる処理となり、これらの処理については後述する。
【００６７】
一方、図４に示す処理シーケンスのステップＳ１０１で示される図５に示す画質確認ガイド画面２０１において、［ＳＤ（標準）画質で撮影する］を選択した場合は、図４に示すステップＳ１０３に進む。ステップＳ１０３では、
（３ａ）他プレーヤで再生したいか
（３ｂ）本機で編集したいか
をユーザに問い合わせる。
【００６８】
この問い合わせに適用するガイド画面、すなわち、ディスクに記録されるデータの他機器での再生を希望するか、ディスクに記録されるデータの自機器での編集を希望するかの記録データ利用確認ガイド画面の構成例を図７に示す。図７に示す記録データ利用確認ガイド画面２０３は、図４に示すステップＳ１０３に対応するガイド画面であり、
「撮影後はどちらを楽しみたいですか」との問いに対する選択肢として、
［色々なＤＶＤ機器で再生したい］
［本機で削除や分割などの編集をしたい］
これら２つの選択肢が設定され、いずれかをユーザに選択させて入力させる画面構成となっている。
【００６９】
ユーザは、この問いかけに対して、いずれか一方を選択する。情報処理装置１００の制御部がユーザ入力情報を検出すると、制御部は、ユーザ入力に応じた次のガイド画面を選択して表示部１２０に表示する。
【００７０】
図に示す例において、例えば、［色々なＤＶＤ機器で再生したい］を選択した場合、図４に示す処理シーケンス図において、ステップＳ１０４に進む。ステップＳ１０４では、
（４ａ）データ保存か
（４ｂ）消去繰り返し使用か
をユーザに問い合わせる。
【００７１】
この問い合わせに適用する画面構成例は、先に説明した図６と同様である。図６に示すディスク利用確認ガイド画面２０２は、図４に示すステップＳ１０２およびステップＳ１０４に対応するガイド画面であり、
「撮影したディスクはどのように扱いますか」との問いに対する選択肢として、
［撮影した画像は消さずに保存しておきたい］
［不要な画像を消して繰り返し使いたい］
これら２つの選択肢が設定され、いずれかをユーザに選択させて入力させる画面構成となっている。
【００７２】
ユーザは、この問いかけに対して、いずれか一方を選択する。情報処理装置１００の制御部がユーザ入力情報を検出すると、入力情報に応じて、制御部は、図４の最下段のステップＳ１０５に進み、図４の最下段に示す［ディスク種別（アプリケーションフォーマット）］のいずれかを最終的な選択候補として決定する。この場合は、
［撮影した画像は消さずに保存しておきたい］を選択した場合は、
（Ｆ５）ＤＶＤ＋Ｒ  ＤＬ（ＶＩＤＥＯ）
（Ｆ６）ＤＶＤ−Ｒ（ＶＩＤＥＯ）
［不要な画像を消して繰り返し使いたい］を選択した場合は、
（Ｆ７）ＤＶＤ−ＲＷ（ＶＩＤＥＯ）
（Ｆ８）ＤＶＤ＋ＲＷ（＋ＶＲ）
この組み合わせを最終的な選択候補として決定する。
【００７３】
この後の処理については、
（Ａ）情報処理装置にディスクが未装着である場合
（Ｂ）情報処理装置に使用ディスクが装着されている場合
（Ｃ）情報処理装置に未使用ディスクが装着されている場合（強制起動）
これらの各状態のいずれかによって、異なる処理となり、これらの処理については後述する。
【００７４】
一方、図４に示すステップＳ１０３で表示される図７に示す記録データ利用確認ガイド画面２０３において、［本機で削除や分割などの編集をしたい］を選択した場合は、入力情報に応じて、制御部は、図４の最下段のステップＳ１０５に進み、図４の最下段に示す［ディスク種別（アプリケーションフォーマット）］の組み合わせから、
（Ｆ９）ＤＶＤ−ＲＷ（ＶＲ）
を最終的な選択候補として決定する。
【００７５】
このように、本発明の情報処理装置では、ユーザが容易に応えることができる質問を提示して、その入力情報に基づいて、最適なディスクの種類とアプリケーションフォーマットを決定することができる。
【００７６】
本発明の情報処理装置の実行するディスクおよびアプリケーションフォーマット決定処理の基本シーケンスは、図４に示す処理であるが、前述したように、ガイド処理として実際に実行される処理は、
（Ａ）情報処理装置にディスクが未装着である場合
（Ｂ）情報処理装置に使用ディスクが装着されている場合
（Ｃ）情報処理装置に未使用ディスクが装着されている場合（強制起動）
これらの状態に応じて異なる処理となる。
【００７７】
すなわち、上記（Ｂ），（Ｃ）の場合は、情報処理装置にディスクが装着されており、情報処理装置がディスクの種別を判別して、判別したディスク種別に応じたガイド処理を実行することになり、上記（Ａ）の場合は、情報処理装置にディスクが装着されていないので、目的に応じたディスクの選択についてもガイドを行なうことになる。以下、これら（Ａ）〜（Ｃ）の状態に応じた具体的な処理シーケンスについて、順次、説明する。
【００７８】
（Ａ）情報処理装置にディスクが未装着の場合の処理
まず、情報処理装置にディスクが未装着の場合の処理について説明する。情報処理装置にディスクが未装着の場合、図４を参照して説明した処理が実行され、図４の（Ｆ１）〜（Ｆ９）の［ディスク種別（アプリケーションフォーマット）］のいずれか１つまたは複数の組が利用可能であることがユーザに提示される。
【００７９】
すなわち、図４〜図７を参照して説明した処理の後、図４の最下段のステップＳ１０５に進み、図４の（Ｆ１）〜（Ｆ９）の［ディスク種別（アプリケーションフォーマット）］のいずれか１つまたは複数の組が利用可能であることがユーザに提示される。
【００８０】
例えば図８〜図１０に示すガイド画面が、情報処理装置１００の表示部１２０に表示される。図８に示すガイド画面２１１は、図４の処理ステップＳ１０５において（Ｆ１），（Ｆ２）が選択された場合のガイド画面である。
ガイド画面２１１には、決定したデイクの種類の説明として、
「おすすめするディスクはＤＶＤ−ＲとＤＶＤ＋Ｒ  ＤＬです」
というディスク種類の説明が表示され、
さらに、２つの種類のどちらを選べばよいかを示すヒント情報として、
「ＤＶＤ＋Ｒ  ＤＬは長時間記録が可能です」
というヒント情報が表示される。
【００８１】
さらに、ユーザに対する問い合わせとして、
「この結果でディスクを初期化しますか」との問い合わせが表示され、その選択肢として、
［初期化する］
［機能を終了する］
これら２つの選択肢が選択可能な構成となっている。ユーザは、これら２つの選択肢からいずれかを選択する。情報処理装置１００の制御部がユーザ入力情報を検出すると、制御部は、ユーザ入力に応じて処理を行なう。［機能を終了する］が選択された場合は、ガイド処理プログラムを終了する。［初期化する］が選択された場合は、次のガイド画面を選択して表示部１２０に表示する。この処理については後述する。
【００８２】
図８に示すもう１つのガイド画面２１２は、図４の処理ステップＳ１０５において（Ｆ３），（Ｆ４）が選択された場合のガイド画面である。
ガイド画面２１１には、決定したデイクの種類の説明として、
「おすすめするディスクはＤＶＤ−ＲＷとＤＶＤ＋ＲＷです」
というディスク種類の説明が表示され、
さらに、ユーザに対する問い合わせとして、
「この結果でディスクを初期化しますか」との問い合わせが表示され、その選択肢として、
［初期化する］
［機能を終了する］
これら２つの選択肢が選択可能な構成となっている。ユーザは、これら２つの選択肢からいずれかを選択する。
【００８３】
なお、図４を参照して説明したように、（Ｆ１）〜（Ｆ９）の設定では、ディスク種別のみならずアプリケーションフォーマットも決定されているが、ユーザに提示されるガイド画面ではアプリケーションフォーマットに関する情報は提示されない設定としている。ただし、適用されるアプリケーションフォーマットについての説明を表示する構成としてもよい。
【００８４】
次に、図９に示すガイド画面２１３は、図４のステップＳ１０５において（Ｆ５），（Ｆ６）が選択された場合のガイド画面である。
ガイド画面２１３には、決定したデイクの種類の説明として、
「おすすめするディスクはＤＶＤ−ＲとＤＶＤ＋Ｒ  ＤＬです」
というディスク種類の説明が表示され、
さらに、２つの種類のどちらを選べばよいかを示すヒント情報として、
「ＤＶＤ＋Ｒ  ＤＬは長時間記録が可能です」
というヒント情報が表示される。
【００８５】
さらに、ユーザに対する問い合わせとして、
「この結果でディスクを使用しますか」との問い合わせが表示され、その選択肢として、
［使用する］
［機能を終了する］
これら２つの選択肢が選択可能な構成となっている。ユーザは、これら２つの選択肢からいずれかを選択する。なお、図４のステップＳ１０５において（Ｆ５），（Ｆ６）が選択された場合とは、標準（ＳＤ）画像の記録において、ＤＶＤ−ＲとＤＶＤ＋Ｒ  ＤＬを利用する場合であり、アプリケーションフォーマットは、ＤＶＤ−Ｖｉｄｅｏ（ＶＩＤＥＯ）フォーマットが選択されている。この場合、初期化処理はデータ記録タイミングで実行可能なため、この時点で初期化処理が必要とならない。従って、ディスクを使用するか否かを問い合わせる設定としてある。
【００８６】
図９に示すもう１つのガイド画面２１４は、図４のステップＳ１０５において（Ｆ７），（Ｆ８）が選択された場合のガイド画面である。
ガイド画面２１４には、決定したデイクの種類の説明として、
「おすすめするディスクはＤＶＤ−ＲＷとＤＶＤ＋ＲＷです」
というディスク種類の説明が表示され、
さらに、ユーザに対する問い合わせとして、
「この結果でディスクを初期化しますか」との問い合わせが表示され、その選択肢として、
［初期化する］
［機能を終了する］
これら２つの選択肢が選択可能な構成となっている。ユーザは、これら２つの選択肢からいずれかを選択する。
【００８７】
さらに、図１０に示すガイド画面２１５は、図４のステップＳ１０５において（Ｆ９）が選択された場合のガイド画面である。
ガイド画面２１５には、決定したデイクの種類の説明として、
「おすすめするディスクはＤＶＤ−ＲＷです」
というディスク種類の説明が表示され、
さらに、ユーザに対する問い合わせとして、
「この結果でディスクを初期化しますか」との問い合わせが表示され、その選択肢として、
［初期化する］
［機能を終了する］
これら２つの選択肢が選択可能な構成となっている。ユーザは、これら２つの選択肢からいずれかを選択する。
【００８８】
次に、ディスク未装着時のガイド処理において、図４に示すステップＳ１０５において情報処理装置１００の表示部１２０に図８〜図１０を参照して説明したガイド画面２１１〜２１５の表示に対して、
［初期化する］
をユーザが選択した場合に実行する処理について、図１１以下を参照して説明する。
【００８９】
図１１のステップＳ２０１は、ディスク未装着状態で、図４に示すステップＳ１０５において情報処理装置１００の表示部１２０に図８〜図１０を参照して説明したガイド画面２１１〜２１５の表示に対して、［初期化する］をユーザが選択した場合に実行される。ステップＳ２０１では、ディスク装着要求が行われる。この際に情報処理装置１００の表示部１２０には、図１２に示すガイド画面が表示される。
【００９０】
図１２に示すディスク装着要求ガイド画面３１１ａは、図４に示すシーケンスにおけるステップＳ１０５において決定したディスクおよびアプリケーションフォーマットの組み合わせが、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ５）ＤＶＤ＋Ｒ  ＤＬ（ＶＩＤＥＯ）
（Ｆ６）ＤＶＤ−Ｒ（ＶＩＤＥＯ）
の場合のディスク装着要求ガイド画面である。
【００９１】
ディスク装着要求ガイド画面３１１ｂは、図４に示すシーケンスにおけるステップＳ１０５において決定したディスクおよびアプリケーションフォーマットの組み合わせが、
（Ｆ３）ＤＶＤ−ＲＷ（ＡＶＣＨＤ）
（Ｆ４）ＤＶＤ＋ＲＷ（ＡＶＣＨＤ）
（Ｆ７）ＤＶＤ−ＲＷ（ＶＩＤＥＯ）
（Ｆ８）ＤＶＤ＋ＲＷ（＋ＶＲ）
の場合のディスク装着要求ガイド画面である。
【００９２】
ディスク装着要求ガイド画面３１１ｃは、図４に示すシーケンスにおけるステップＳ１０５において決定したディスクおよびアプリケーションフォーマットの組み合わせが、
（Ｆ９）ＤＶＤ−ＲＷ（ＶＲ）
の場合のディスク装着要求ガイド画面である。
【００９３】
それぞれ、決定したディスクの装着を要求する画面構成とされ、ディスク種類（物理フォーマット）としての、［ＤＶＤ−Ｒ］，［ＤＶＤ＋Ｒ］，［ＤＶＤ−ＲＷ］，［ＤＶＤ＋ＲＷ］，［ＤＶＤ＋Ｒ  ＤＬ］等の各名称と、それぞれのディスク種類に対応して設定された識別マークとしてのロゴが表示される。市販ディスクには原則として全てロゴが記録されているので、ユーザはロゴを比較して同一のロゴを持つディスクを選択することができる。
【００９４】
ユーザが指定されたディスクを情報処理装置に装着して、ディスク装着要求ガイド画面３１１ａ〜ｃの各画面に表示されたＯＫアイコンを操作すると、図１１に示すシーケンス図において、ステップＳ２０２〜Ｓ２０４のいずれかの処理ステップに進む。
【００９５】
ステップＳ２０２〜Ｓ２０４のいずれに進むかは、ディスクおよびアプリケーションフォーマットの組み合わせに応じて決定される。
【００９６】
ステップＳ２０２に進むのは、
（Ｆ８）ＤＶＤ＋ＲＷ（＋ＶＲ）
の場合である。すなわち、ＳＤ画質の記録を選択して、装着ディスクがＤＶＤ＋ＲＷである場合であり、この場合は、アプリケーションフォーマットが、ＤＶＤ＋ＲＷ  Ｖｉｄｅｏ（＋ＶＲ）であり、ステップＳ２０２において、記録動画のアスペクト比選択が必要となる。
【００９７】
また、ステップＳ２０４に進むのは、
（Ｆ５）ＤＶＤ＋Ｒ  ＤＬ（ＶＩＤＥＯ）
（Ｆ６）ＤＶＤ−Ｒ（ＶＩＤＥＯ）
の場合である。すなわち、ＳＤ画像の記録を選択して、装着ディスクがＤＶＤ＋Ｒ  ＤＬまたはＤＶＤ−Ｒである場合であり、この場合は、先に図９のガイド画面２１３を参照して説明したように、事前の初期化処理が必要とされないので、他の処理シーケンスと異なる処理となっている。
【００９８】
ステップＳ２０３に進むのは、その他の
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ３）ＤＶＤ−ＲＷ（ＡＶＣＨＤ）
（Ｆ４）ＤＶＤ＋ＲＷ（ＡＶＣＨＤ）
（Ｆ７）ＤＶＤ−ＲＷ（ＶＩＤＥＯ）
（Ｆ９）ＤＶＤ−ＲＷ（ＶＲ）
の場合である。
これらの場合は、アスペクト比の設定を行わずに初期化処理が実行される。
【００９９】
まず、ステップＳ２０２の処理について説明する。ステップＳ２０２に進むのは、
（Ｆ８）ＤＶＤ＋ＲＷ（＋ＶＲ）
の場合であり、ＳＤ画質の記録を選択し、装着ディスクがＤＶＤ＋ＲＷである場合である。この場合は、ステップＳ２０２において、記録動画のアスペクト比選択をユーザに要求する。
【０１００】
このステップＳ２０２において、情報処理装置１００の表示部１２０に表示されるガイド画面の例を図１３に示す。図１３に示すように、アスペクト比選択要求ガイド画面３１２には、
「このディスクに記録する動画のアスペクト比を選んでください。再度初期化すると変更できます」との要求が示され、選択肢として、
［１６：９］
［４：３］
の２つの選択肢が示され、ユーザはいずれかを選択する。選択応答を情報処理装置の制御部が検出すると、図１１に示すシーケンス図のステップＳ２０３に進む。
【０１０１】
図１１に示すシーケンス図のステップＳ２０３の処理について説明する。ステップＳ２０３は、初期化処理の確認処理であり、（Ｆ８）ＤＶＤ＋ＲＷ（＋ＶＲ）の場合に、上述のステップＳ２０２のアスペクト比選択処理がなされた場合と、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ３）ＤＶＤ−ＲＷ（ＡＶＣＨＤ）
（Ｆ４）ＤＶＤ＋ＲＷ（ＡＶＣＨＤ）
（Ｆ７）ＤＶＤ−ＲＷ（ＶＩＤＥＯ）
（Ｆ９）ＤＶＤ−ＲＷ（ＶＲ）
これらの場合である。
【０１０２】
ステップＳ２０３において、情報処理装置１００の表示部１２０に表示されるガイド画面の例を図１４に示す。図１４に示すように、ステップＳ２０３では、初期化処理確認ガイド画面３１３が表示される。図１４には、２種類の初期化処理確認ガイド画面３１３ａ，３１３ｂを示している。
【０１０３】
初期化処理確認ガイド画面３１３ａは、ユーザが高画質（ＨＤ）記録を選択した場合、すなわち、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ３）ＤＶＤ−ＲＷ（ＡＶＣＨＤ）
（Ｆ４）ＤＶＤ＋ＲＷ（ＡＶＣＨＤ）
これらの設定である場合に表示される初期化処理確認ガイド画面であり、ハイビジョン対応での画像記録が可能であることが表示される。
【０１０４】
一方、初期化処理確認ガイド画面３１３ｂは、ユーザが標準画質（ＳＤ）記録を選択した場合、すなわち、
（Ｆ７）ＤＶＤ−ＲＷ（ＶＩＤＥＯ）
（Ｆ８）ＤＶＤ＋ＲＷ（＋ＶＲ）
（Ｆ９）ＤＶＤ−ＲＷ（ＶＲ）
これらの設定である場合に表示される初期化処理確認ガイド画面であり、ハイビジョン対応での画像記録が可能であることは表示されない。
【０１０５】
なお、初期化処理確認ガイド画面３１３ａ，３１３ｂのいずれにも初期化処理に必要となる処理時間が表示され、ユーザは所要時間を知ることができる。ユーザは、これら、初期化処理確認ガイド画面３１３ａ，３１３ｂにおいて、［はい］を選択すると、選択入力情報を制御部が検出し、次の処理ステップＳ２０５に進む。ステップＳ２０５は、初期化処理を本当に実行してよいかを再度、ユーザに確認させる処理である。初期化を行なうと、記録済みのデータがある場合、すべて消去されてしまうため、再度、確認を行なうものである。このときに情報処理装置１００の表示部１２０に表示されるガイド画面の例を図１５に示す。図１５に示すように、ステップＳ２０５では、初期化処理を実行してよいか否かを再度確認させて、ユーザに［はい］［いいえ］のいずれかを入力させる確認ガイド画面３１４を表示する。
【０１０６】
ユーザがこの確認ガイド画面３１４において［はい］の入力を行なうと、入力情報を制御部が検出し、次の処理ステップＳ２０６に進む。ステップＳ２０６は、初期化処理の実行ステップである。初期化処理の実行ステップでは、情報処理装置１００の表示部１２０に初期化処理が実行中であることを示すガイド画面が表示される。ガイド画面の例を図１６に示す。
【０１０７】
ステップＳ２０６では、図１６に示すように、初期化処理が実行中であることを示すガイド画面３１５が表示される。ガイド画面３１５には、初期化処理が実行中であり、振動を与えないで下さいとの注意書きが表示され、さらに、初期化処理に必要となる残り時間が表示され、ユーザは初期化処理の完了までのおよその時間を知ることができる。
【０１０８】
初期化処理が終了すると、ステップＳ２０７に進む。ステップＳ２０７では、処理が完了したことを示す完了確認画面が、情報処理装置１００の表示部１２０に表示される。完了確認画面の例を図１７に示す。図１７に示すように完了確認画面３１６には、処理が完了したことのメッセージが表示され、ユーザはこの画面の確認の後、データの記録、例えば撮影処理を開始する。
【０１０９】
図１に示すシーケンス図におけるステップＳ２０４は、先に説明したように、
（Ｆ５）ＤＶＤ＋Ｒ  ＤＬ（ＶＩＤＥＯ）
（Ｆ６）ＤＶＤ−Ｒ（ＶＩＤＥＯ）
の場合である。すなわち、ＳＤ画像の記録を選択して、装着ディスクがＤＶＤ＋Ｒ  ＤＬまたはＤＶＤ−Ｒである場合であり、この場合は、先に図９のガイド画面２１３を参照して説明したように、事前の初期化処理が必要とされないので、他の処理シーケンスと異なる処理となっている。
【０１１０】
この場合、ステップＳ２０４において、記録画質が標準画像（ＳＤ）であることを確認するガイド画面が情報処理装置１００の表示部１２０に表示される。このガイド画面の例を図１８に示す。図１８に示すように画質確認ガイド画面３１７には、
「ＳＤ（標準）画質で記録されます。ハイビジョン画質では記録されません」
との注意メッセージが表示される。
【０１１１】
ユーザは、このメッセージを確認してＯＫアイコンを操作する。操作情報が制御部に入力されると、ステップＳ２０７に進み、先に図１７を参照して説明したに完了確認画面３１７に、処理が完了したことのメッセージが表示され、ユーザはこの画面の確認の後、データの記録、例えば撮影処理を開始する。
【０１１２】
以上の処理が、
（Ａ）情報処理装置にディスクが未装着である場合
の場合に実行されるガイド処理である。
すなわち、情報処理装置にディスクが未装着の場合の全体シーケンスは、図４の処理シーケンスと図１１の処理シーケンスを組み合わせた処理となる。これらの処理から理解されるように、ユーザは、情報処理装置１００の表示部に表示される質問に対して、順次応答するのみで、用途に応じた最適なディスクとアプリケーションフォーマットを選択することができ、さらに選択後において必要となる処理も適確に実行可能となり、最適なディスクに対して最適なアプリケーションフォーマットを適用したデータ記録をスムーズに開始することが可能となる。
【０１１３】
（Ｂ）情報処理装置に使用ディスクが装着されている場合
次に、情報処理装置に使用ディスクが装着されている場合の処理について説明する。前述したように、（Ｂ）の場合は、情報処理装置にディスクが装着されており、情報処理装置がディスクの種別（［ＤＶＤ−Ｒ］，［ＤＶＤ＋Ｒ］，［ＤＶＤ−ＲＷ］，［ＤＶＤ＋ＲＷ］，［ＤＶＤ＋Ｒ  ＤＬ］など）を判別して、判別したディスク種別に応じたガイド処理を実行する。
【０１１４】
この処理（Ｂ）においても、基本的には、図４のシーケンス図に従って、ディスク種別とアプリケーションフォーマットの組み合わせが決定される。ただし、ディスクが既に装置に装着されているので、その装着されたディスクの種類に対応したガイド処理のみが実行されることになる。従って、装着ディスクの種類に応じて処理シーケンスが異なる。以下、
（Ｂ１）ＤＶＤ−Ｒ，ＤＶＤ＋Ｒ  ＤＬが装着されている場合
（Ｂ２）ＤＶＤ−ＲＷが装着されている場合
（Ｂ３）ＤＶＤ＋ＲＷが装着されている場合
これらの各状態における処理シーケンスについて、順次説明する。
【０１１５】
（Ｂ１）ＤＶＤ−Ｒ，ＤＶＤ＋Ｒ  ＤＬが装着されている場合
まず、情報処理装置にＤＶＤ−Ｒ、またはＤＶＤ＋Ｒ  ＤＬが装着されている場合のガイド処理について説明する。
【０１１６】
図１９に、図４を参照して説明したと同様のシーケンス図を示す。図１９から理解されるように、情報処理装置にＤＶＤ−Ｒ、またはＤＶＤ＋Ｒ  ＤＬが装着されている場合に、本発明の情報処理装置において推奨するディスク種別とアプリケーションフォーマットの組み合わせは、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ５）ＤＶＤ＋Ｒ  ＤＬ（ＶＩＤＥＯ）
（Ｆ６）ＤＶＤ−Ｒ（ＶＩＤＥＯ）
これらのいずれかである。
【０１１７】
図１９に示すシーケンス図では、［（Ｆ１），（Ｆ２）］の組と、［（Ｆ５），（Ｆ６）］の組の区分判定を行なっているのは、ステップＳ１０１のＨＤ記録かＳＤ記録かの判定ステップのみである。他の判定ステップＳ１０２〜Ｓ１０４は、情報処理装置に装着されているディスクの種類が、
ＤＶＤ−Ｒ、またはＤＶＤ＋Ｒ  ＤＬ
である場合には、不要な判定処理となる。
【０１１８】
従って、このステップＳ１０１の判定処理を実行して、［（Ｆ１），（Ｆ２）］の組と、［（Ｆ５），（Ｆ６）］の組のいずれにするかを決定した後、先に説明した図１１の処理フローと同様の処理を実行すればよい。結果としては、図２０に示すシーケンスに従ってガイド処理を実行することになる。
【０１１９】
図２０に示すシーケンスの各ステップについて説明する。この図２０に示す処理は、情報処理装置においてディスクが装着済みであり、装着されたディスクがＤＶＤ−Ｒ、またはＤＶＤ＋Ｒ  ＤＬであることの識別処理がなされた後に実行される。情報処理装置では、情報処理装置１００の表示部（ディスプレイ）１２０に、ウイザード形式（対話形式）でガイド画面を表示し、ガイド画面に対するユーザの応答入力に応じて処理を進める。
【０１２０】
まず、ステップＳ３０１において、
（１ａ）高画質記録としてのＨＤ記録を行なうか、
（１ｂ）標準画質としてのＳＤ記録を行なうか、
をユーザに問い合わせる。
【０１２１】
この問い合わせに適用する画面構成は、先に図５を参照して説明した画質確認ガイド画面２０１である。図５に示す画質確認ガイド画面２０１は、先に説明したように、
「撮影したい記録画質を選択してください」との問いに対する選択肢として、
［ＨＤ（ハイビジョン）画質で撮影する］
［ＳＤ（標準）画質で撮影する］
これら２つの選択肢が設定され、
いずれかをユーザに選択させて入力させる画面構成となっている。
【０１２２】
ユーザは、この問いかけに対して、いずれか一方を選択する。情報処理装置１００の制御部がユーザ入力情報を検出すると、制御部は、入力に基づいて、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ５）ＤＶＤ＋Ｒ  ＤＬ（ＶＩＤＥＯ）
（Ｆ６）ＤＶＤ−Ｒ（ＶＩＤＥＯ）
これらのいずれに設定するかを決定する。
【０１２３】
例えば、ユーザが、［ＨＤ（ハイビジョン）画質で撮影する］を選択した場合には、
（Ｆ１）ＤＶＤ＋Ｒ  ＤＬ（ＡＶＣＨＤ）
（Ｆ２）ＤＶＤ−Ｒ  （ＡＶＣＨＤ）
のいずれかに設定されることになる。装置に装着され識別済みのディスクの種類に応じて、（Ｆ１）または（Ｆ２）のいずれかの設定が決定されることになる。
【０１２４】
また、ユーザが、［ＳＤ（標準）画質で撮影する］を選択した場合には、
（Ｆ５）ＤＶＤ＋Ｒ  ＤＬ（ＶＩＤＥＯ）
（Ｆ６）ＤＶＤ−Ｒ（ＶＩＤＥＯ）
のいずれかに設定されることになる。装置に装着され識別済みのディスクの種類に応じて、（Ｆ５）または（Ｆ６）のいずれかの設定が決定されることになる。
【０１２５】
これらの決定処理の後、制御部は、次のガイド画面を選択して表示部１２０に表示する。例えば、［ＨＤ（ハイビジョン）画質で撮影する］を選択した場合、図２０に示す処理シーケンス図において、ステップＳ３０２に進む。
【０１２６】
ステップＳ３０２、ステップＳ３０４〜Ｓ３０６の処理は、図１１を参照して説明したステップＳ２０３，Ｓ２０５〜Ｓ２０７の処理に対応する。まず、ステップＳ３０２において、初期化処理の確認処理を行なう。ステップＳ３０２において、情報処理装置１００の表示部１２０に表示されるガイド画面は、先に図１４を参照して説明したガイド画面３１３ａである。
【０１２７】
本処理例では、ユーザが高画質（ＨＤ）記録を選択した場合、すなわち、
（Ｆ１）ＤＶＤ＋Ｒ  ＤＬ（ＡＶＣＨＤ）
（Ｆ２）ＤＶＤ−Ｒ  （ＡＶＣＨＤ）
これらの設定であるので、ハイビジョン対応での画像記録が可能であることが表示されたガイド画面３１３ａが表示される。また、初期化処理に必要となる処理時間が表示され、ユーザは所要時間を知ることができる。ユーザは、この初期化処理確認ガイド画面３１３ａにおいて、［はい］を選択すると、選択入力情報を制御部が検出し、次の処理ステップＳ３０４に進む。
【０１２８】
ステップＳ３０４は、初期化処理を本当に実行してよいかを再度、ユーザに確認させる処理である。初期化を行なうと、記録済みのデータがある場合、すべて消去されてしまうため、再度、確認を行なうものである。このときに情報処理装置１００の表示部１２０に表示されるガイド画面は、先に説明した図１５に示す確認ガイド画面３１４である。ステップＳ３０４では、初期化処理を実行してよいか否かを再度確認させて、ユーザに［はい］［いいえ］のいずれかを入力させる図１５に示す確認ガイド画面３１４を表示する。
【０１２９】
ユーザがこの確認ガイド画面３１４において［はい］の入力を行なうと、入力情報を制御部が検出し、次の処理ステップＳ３０５に進む。ステップＳ３０５は、初期化処理の実行ステップである。初期化処理の実行ステップでは、情報処理装置１００の表示部１２０に初期化処理が実行中であることを示すガイド画面が表示される。ガイド画面の例は、先に図１６を参照して説明したガイド画面３１５である。
【０１３０】
ステップＳ３０５では、図１６に示すように、初期化処理が実行中であることを示すガイド画面３１５が表示される。ガイド画面３１５には、初期化処理が実行中であり、振動を与えないで下さいとの注意書きが表示され、さらに、初期化処理に必要となる残り時間が表示され、ユーザは初期化処理の完了までのおよその時間を知ることができる。
【０１３１】
初期化処理が終了すると、ステップＳ３０６に進む。ステップＳ３０６では、処理が完了したことを示す完了確認画面が、情報処理装置１００の表示部１２０に表示される。完了確認画面の例は、先に図１７を参照して説明した完了確認画面３１６であり、処理が完了したことのメッセージが表示され、ユーザはこの画面の確認の後、データの記録、例えば撮影処理を開始する。
【０１３２】
図２０に示すシーケンス図におけるステップＳ３０３は、先に説明したように、
（Ｆ５）ＤＶＤ＋Ｒ  ＤＬ（ＶＩＤＥＯ）
（Ｆ６）ＤＶＤ−Ｒ（ＶＩＤＥＯ）
の場合である。すなわち、装着ディスクがＤＶＤ＋Ｒ  ＤＬまたはＤＶＤ−Ｒである場合において、ステップＳ３０１においてＳＤ画像の記録を選択した場合の処理であり、この場合は、先に図９のガイド画面２１３を参照して説明したように、事前の初期化処理が必要とされない。
【０１３３】
この場合の処理は、ステップＳ３０３において、記録画質が標準画像（ＳＤ）であることを確認させる処理を実行する。この処理は、図１１に示すシーケンス図のステップＳ２０４と同様の処理である。すなわち、ステップＳ３０３において、記録画質が標準画像（ＳＤ）であることを確認するガイド画面が情報処理装置１００の表示部１２０に表示される。このガイド画面は、先に図１８を参照して説明した画質確認ガイド画面３１７であり、
「ＳＤ（標準）画質で記録されます。ハイビジョン画質では記録されません」
との注意メッセージが表示される。
【０１３４】
ユーザは、このメッセージを確認してＯＫアイコンを操作する。操作情報が制御部に入力されると、ステップＳ３０６に進み、先に図１７を参照して説明したに完了確認画面３１７に、処理が完了したことのメッセージが表示され、ユーザはこの画面の確認の後、データの記録、例えば撮影処理を開始する。
【０１３５】
（Ｂ２）ＤＶＤ−ＲＷが装着されている場合
次に、情報処理装置にＤＶＤ−ＲＷが装着されている場合のガイド処理について説明する。
【０１３６】
図２１に、図４を参照して説明したと同様のシーケンス図を示す。図２１から理解されるように、情報処理装置にＤＶＤ−ＲＷが装着されている場合に、本発明の情報処理装置において推奨するディスク種別とアプリケーションフォーマットの組み合わせは、
（Ｆ３）ＤＶＤ−ＲＷ（ＡＶＣＨＤ）
（Ｆ７）ＤＶＤ−ＲＷ（ＶＩＤＥＯ）
（Ｆ９）ＤＶＤ−ＲＷ（ＶＲ）
これらのいずれかである。
【０１３７】
図２１に示すシーケンス図では、これらの３つ（Ｆ３），（Ｆ７），（Ｆ９）の区分判定を行なっているのは、ステップＳ１０１のＨＤ記録かＳＤ記録かの判定ステップと、ステップＳ１０３の判定のみである。他の判定ステップは、情報処理装置に装着されているディスクの種類が、
ＤＶＤ−ＲＷ
である場合には、不要な判定処理となる。
【０１３８】
従って、このステップＳ１０１とステップＳ１０３の判定処理を実行して、これらの３つ（Ｆ３），（Ｆ７），（Ｆ９）のいずれのアプリケーションフォーマットの設定にするかを決定した後、先に説明した図１１の処理フローと同様の処理を実行すればよい。結果としては、図２２に示すシーケンスに従ってガイド処理を実行することになる。
【０１３９】
図２２に示すシーケンスの各ステップについて説明する。この図２２に示す処理は、情報処理装置においてディスクが装着済みであり、装着されたディスクがＤＶＤ−ＲＷであることの識別処理がなされた後に実行される。情報処理装置では、情報処理装置１００の表示部（ディスプレイ）１２０に、ウイザード形式（対話形式）でガイド画面を表示し、ガイド画面に対するユーザの応答入力に応じて処理を進める。
【０１４０】
まず、ステップＳ４０１において、
（１ａ）高画質記録としてのＨＤ記録を行なうか、
（１ｂ）標準画質としてのＳＤ記録を行なうか、
をユーザに問い合わせる。
【０１４１】
この問い合わせに適用する画面構成は、先に図５を参照して説明した画質確認ガイド画面２０１である。図５に示す画質確認ガイド画面２０１は、先に説明したように、
「撮影したい記録画質を選択してください」との問いに対する選択肢として、
［ＨＤ（ハイビジョン）画質で撮影する］
［ＳＤ（標準）画質で撮影する］
これら２つの選択肢が設定され、
いずれかをユーザに選択させて入力させる画面構成となっている。
【０１４２】
ユーザは、この問いかけに対して、いずれか一方を選択する。情報処理装置１００の制御部がユーザ入力情報を検出すると、制御部は、ユーザ入力に応じた次のガイド画面を選択して表示部１２０に表示する。例えば、［ＨＤ（ハイビジョン）画質で撮影する］を選択した場合、図２０に示す処理シーケンス図において、ステップＳ４０３に進む。この場合、画質はＨＤであり、アプリケーションフォーマットはＡＶＣＨＤとした
（Ｆ３）ＤＶＤ−ＲＷ（ＡＶＣＨＤ）
に設定されることになる。
【０１４３】
一方、ステップＳ４０１において、［ＳＤ（標準）画質で撮影する］を選択した場合、ステップＳ４０２に進む。ステップＳ４０２に進む場合は、画質が標準（ＳＤ）であり、ディスク種別とアプリケーションフォーマットの組み合わせは、
（Ｆ７）ＤＶＤ−ＲＷ（ＶＩＤＥＯ）
（Ｆ９）ＤＶＤ−ＲＷ（ＶＲ）
のいずれかの場合である。
【０１４４】
ステップＳ４０２では、（Ｆ７）と（Ｆ９）のいずれに設定するかを判定するため、
（３ａ）他プレーヤで再生したいか
（３ｂ）本機で編集したいか
をユーザに問い合わせる。
【０１４５】
このステップＳ４０２は、先に図４を参照して説明したステップＳ１０３と同様の処理ステップであり、図７に示す記録データ利用確認ガイド画面２０３が表示部１２０に表示される。すなわち、
「撮影後はどちらを楽しみたいですか」との問いに対する選択肢として、
［色々なＤＶＤ機器で再生したい］
［本機で削除や分割などの編集をしたい］
これら２つの選択肢が設定され、いずれかをユーザに選択させて入力させる画面構成となっている。
【０１４６】
ユーザは、この問いかけに対して、いずれか一方を選択する。情報処理装置１００の制御部がユーザ入力情報を検出すると、制御部は、検出情報に応じて、適用すべきアプリケーションフォーマットを決定する。すなわち、
（Ｆ７）ＤＶＤ−ＲＷ（ＶＩＤＥＯ）
（Ｆ９）ＤＶＤ−ＲＷ（ＶＲ）
のいずれに設定するかを決定する。
【０１４７】
ユーザが、図７に示す記録データ利用確認ガイド画面２０３において、
［色々なＤＶＤ機器で再生したい］
を選択した場合は、
（Ｆ７）ＤＶＤ−ＲＷ（ＶＩＤＥＯ）
の設定とし、
［本機で削除や分割などの編集をしたい］
を選択した場合は、
（Ｆ９）ＤＶＤ−ＲＷ（ＶＲ）
の設定とする。
【０１４８】
このステップＳ４０１，Ｓ４０２の処理によって、
（Ｆ３）ＤＶＤ−ＲＷ（ＡＶＣＨＤ）
（Ｆ７）ＤＶＤ−ＲＷ（ＶＩＤＥＯ）
（Ｆ９）ＤＶＤ−ＲＷ（ＶＲ）
これらのいずれの設定とするかが決定される。
【０１４９】
その後、ステップＳ４０３〜Ｓ４０６の処理が実行される。ステップＳ４０３〜Ｓ４０６の処理は、図１１を参照して説明したステップＳ２０３，Ｓ２０５〜Ｓ２０７の処理に対応する。まず、ステップＳ４０３において、初期化処理の確認処理を行なう。ステップＳ４０３において、情報処理装置１００の表示部１２０に表示されるガイド画面は、先に図１４を参照して説明したガイド画面３１３ａである。
【０１５０】
なお、本処理例では、ユーザが高画質（ＨＤ）記録を選択した場合、すなわち、
（Ｆ３）ＤＶＤ−ＲＷ（ＡＶＣＨＤ）
と、標準画質（ＳＤ）記録を選択した場合、すなわち、
（Ｆ７）ＤＶＤ−ＲＷ（ＶＩＤＥＯ）
（Ｆ９）ＤＶＤ−ＲＷ（ＶＲ）
いずれの場合もありえる。従って、
（Ｆ３）ＤＶＤ−ＲＷ（ＡＶＣＨＤ）
の設定の場合は、ハイビジョン対応での画像記録が可能であることが表示されたガイド画面３１３ａを表示し、
（Ｆ７）ＤＶＤ−ＲＷ（ＶＩＤＥＯ）
（Ｆ９）ＤＶＤ−ＲＷ（ＶＲ）
の設定の場合は、ハイビジョン対応での画像記録が可能であることが表示されないガイド画面３１３ｂを表示する。
なお、いずれにおいても、初期化処理に必要となる処理時間が表示され、ユーザは所要時間を知ることができる。ユーザは、この初期化処理確認ガイド画面３１３ａ，３１３ｂにおいて、［はい］を選択すると、選択入力情報を制御部が検出し、次の処理ステップＳ４０４に進む。
【０１５１】
ステップＳ４０４は、初期化処理を本当に実行してよいかを再度、ユーザに確認させる処理である。初期化を行なうと、記録済みのデータがある場合、すべて消去されてしまうため、再度、確認を行なうものである。このときに情報処理装置１００の表示部１２０に表示されるガイド画面は、先に説明した図１５に示す確認ガイド画面３１４である。ステップＳ４０４では、初期化処理を実行してよいか否かを再度確認させて、ユーザに［はい］［いいえ］のいずれかを入力させる図１５に示す確認ガイド画面３１４を表示する。
【０１５２】
ユーザがこの確認ガイド画面３１４において［はい］の入力を行なうと、入力情報を制御部が検出し、次の処理ステップＳ４０５に進む。ステップＳ４０５は、初期化処理の実行ステップである。初期化処理の実行ステップでは、情報処理装置１００の表示部１２０に初期化処理が実行中であることを示すガイド画面が表示される。ガイド画面の例は、先に図１６を参照して説明したガイド画面３１５である。
【０１５３】
ステップＳ４０５では、図１６に示すように、初期化処理が実行中であることを示すガイド画面３１５が表示される。ガイド画面３１５には、初期化処理が実行中であり、振動を与えないで下さいとの注意書きが表示され、さらに、初期化処理に必要となる残り時間が表示され、ユーザは初期化処理の完了までのおよその時間を知ることができる。
【０１５４】
初期化処理が終了すると、ステップＳ４０６に進む。ステップＳ４０６では、処理が完了したことを示す完了確認画面が、情報処理装置１００の表示部１２０に表示される。完了確認画面の例は、先に図１７を参照して説明した完了確認画面３１６であり、処理が完了したことのメッセージが表示され、ユーザはこの画面の確認の後、データの記録、例えば撮影処理を開始する。
【０１５５】
（Ｂ３）ＤＶＤ＋ＲＷが装着されている場合
次に、情報処理装置にＤＶＤ＋ＲＷが装着されている場合のガイド処理について説明する。
【０１５６】
図２３に、図４を参照して説明したと同様のシーケンス図を示す。図２３から理解されるように、情報処理装置にＤＶＤ＋ＲＷが装着されている場合に、本発明の情報処理装置において推奨するディスク種別とアプリケーションフォーマットの組み合わせは、
（Ｆ４）ＤＶＤ＋ＲＷ（ＡＶＣＨＤ）
（Ｆ８）ＤＶＤ＋ＲＷ（＋ＶＲ）
これらのいずれかである。
【０１５７】
図２３に示すシーケンス図において、（Ｆ４），（Ｆ８）の区分判定を行なっているのは、ステップＳ１０１のＨＤ記録かＳＤ記録かの判定ステップのみである。他の判定ステップＳ１０２〜Ｓ１０４は、情報処理装置に装着されているディスクの種類が、
ＤＶＤ＋ＲＷ
である場合には、不要な判定処理となる。
【０１５８】
従って、このステップＳ１０１の判定処理を実行して、（Ｆ４），（Ｆ８）のいずれにするかを決定した後、先に説明した図１１の処理フローと同様の処理を実行すればよい。結果としては、図２４に示すシーケンスに従ってガイド処理を実行することになる。
【０１５９】
図２４に示すシーケンスの各ステップについて説明する。この図２４に示す処理は、情報処理装置においてディスクが装着済みであり、装着されたディスクがＤＶＤ＋ＲＷであることの識別処理がなされた後に実行される。情報処理装置では、情報処理装置１００の表示部（ディスプレイ）１２０に、ウイザード形式（対話形式）でガイド画面を表示し、ガイド画面に対するユーザの応答入力に応じて処理を進める。
【０１６０】
まず、ステップＳ５０１において、
（１ａ）高画質記録としてのＨＤ記録を行なうか、
（１ｂ）標準画質としてのＳＤ記録を行なうか、
をユーザに問い合わせる。
【０１６１】
この問い合わせに適用する画面構成は、先に図５を参照して説明した画質確認ガイド画面２０１である。図５に示す画質確認ガイド画面２０１は、先に説明したように、
「撮影したい記録画質を選択してください」との問いに対する選択肢として、
［ＨＤ（ハイビジョン）画質で撮影する］
［ＳＤ（標準）画質で撮影する］
これら２つの選択肢が設定され、
いずれかをユーザに選択させて入力させる画面構成となっている。
【０１６２】
ユーザは、この問いかけに対して、いずれか一方を選択する。情報処理装置１００の制御部がユーザ入力情報を検出すると、制御部は、入力に応じて、
（Ｆ４）ＤＶＤ＋ＲＷ（ＡＶＣＨＤ）
（Ｆ８）ＤＶＤ＋ＲＷ（＋ＶＲ）
これらのいずれの設定とするかを決定する。
【０１６３】
例えば、ユーザが、［ＨＤ（ハイビジョン）画質で撮影する］を選択した場合には、
（Ｆ４）ＤＶＤ＋ＲＷ（ＡＶＣＨＤ）
に設定されることになる。
また、ユーザが、［ＳＤ（標準）画質で撮影する］を選択した場合には、
（Ｆ８）ＤＶＤ＋ＲＷ（＋ＶＲ）
に設定されることになる。
【０１６４】
これらの決定処理の後、制御部は、次のガイド画面を選択して表示部１２０に表示する。例えば、［ＨＤ（ハイビジョン）画質で撮影する］を選択した場合、図２４に示す処理シーケンス図において、ステップＳ５０３に進む。
また、［ＳＤ（標準）画質で撮影する］を選択した場合には、ステップＳ５０２に進む。
【０１６５】
ステップＳ５０２の処理について説明する。ステップＳ５０２に進むのは、
（Ｆ８）ＤＶＤ＋ＲＷ（＋ＶＲ）
の場合であり、ＳＤ画質の記録を選択し、装着ディスクがＤＶＤ＋ＲＷである場合である。この場合は、ステップＳ５０２において、記録動画のアスペクト比選択をユーザに要求する。このステップＳ５０２の処理は、先に頭１１を参照して説明したステップＳ２０２の処理に相当する処理であり、記録動画のアスペクト比選択をユーザに要求する。
【０１６６】
このステップＳ５０２において、情報処理装置１００の表示部１２０に表示されるガイド画面の例は先に図１３を参照して説明したガイド画面３１２であり、
「このディスクに記録する動画のアスペクト比を選んでください再度初期化すると変更できます」との要求が示され、選択肢として、
［１６：９］
［４：３］
の２つの選択肢が示され、ユーザはいずれかを選択する。選択応答を情報処理装置の制御部が検出すると、図２４に示すシーケンス図のステップＳ５０３に進む。
【０１６７】
ステップＳ５０３〜Ｓ５０６の処理は、図１１を参照して説明したステップＳ２０３，Ｓ２０５〜Ｓ２０７の処理に対応する。まず、ステップＳ５０３において、初期化処理の確認処理を行なう。ステップＳ５０３において、情報処理装置１００の表示部１２０に表示されるガイド画面は、先に図１４を参照して説明したガイド画面３１３ａまたは、ガイド画面３１３ｂａである。
【０１６８】
ユーザが高画質（ＨＤ）記録を選択した場合、すなわち、
（Ｆ４）ＤＶＤ＋ＲＷ（ＡＶＣＨＤ）
この設定である場合は、ハイビジョン対応での画像記録が可能であることが表示されたガイド画面３１３ａが表示される。
ユーザが標準画質（ＳＤ）記録を選択した場合、すなわち、
（Ｆ８）ＤＶＤ＋ＲＷ（＋ＶＲ）
この設定である場合は、ハイビジョン対応での画像記録が可能であることが表示されていないガイド画面３１３ｂが表示される。
【０１６９】
また、初期化処理に必要となる処理時間が表示され、ユーザは所要時間を知ることができる。ユーザは、この初期化処理確認ガイド画面３１３ａ，３１３ｂにおいて、［はい］を選択すると、選択入力情報を制御部が検出し、次の処理ステップＳ５０４に進む。
【０１７０】
ステップＳ５０４は、初期化処理を本当に実行してよいかを再度、ユーザに確認させる処理である。初期化を行なうと、記録済みのデータがある場合、すべて消去されてしまうため、再度、確認を行なうものである。このときに情報処理装置１００の表示部１２０に表示されるガイド画面は、先に説明した図１５に示す確認ガイド画面３１４である。ステップＳ５０４では、初期化処理を実行してよいか否かを再度確認させて、ユーザに［はい］［いいえ］のいずれかを入力させる図１５に示す確認ガイド画面３１４を表示する。
【０１７１】
ユーザがこの確認ガイド画面３１４において［はい］の入力を行なうと、入力情報を制御部が検出し、次の処理ステップＳ５０５に進む。ステップＳ５０５は、初期化処理の実行ステップである。初期化処理の実行ステップでは、情報処理装置１００の表示部１２０に初期化処理が実行中であることを示すガイド画面が表示される。ガイド画面の例は、先に図１６を参照して説明したガイド画面３１５である。
【０１７２】
ステップＳ５０５では、図１６に示すように、初期化処理が実行中であることを示すガイド画面３１５が表示される。ガイド画面３１５には、初期化処理が実行中であり、振動を与えないで下さいとの注意書きが表示され、さらに、初期化処理に必要となる残り時間が表示され、ユーザは初期化処理の完了までのおよその時間を知ることができる。
【０１７３】
初期化処理が終了すると、ステップＳ５０６に進む。ステップＳ５０６では、処理が完了したことを示す完了確認画面が、情報処理装置１００の表示部１２０に表示される。完了確認画面の例は、先に図１７を参照して説明した完了確認画面３１６であり、処理が完了したことのメッセージが表示され、ユーザはこの画面の確認の後、データの記録、例えば撮影処理を開始する。
【０１７４】
（Ｃ）情報処理装置に未使用ディスクが装着されている場合（強制起動）
最後に、情報処理装置に未使用ディスクが装着された場合に実行される強制起動処理について説明する。強制起動処理は、情報処理装置に未使用ディスクが装着された場合に実行される処理である。この場合は、ユーザが再生を目的としたディスク装着を行なったのではなく、新たなデータ記録を行なうことを目的としたディスク装着であることが明確であり、この場合、ディスクが装着され、未使用ディスクであることの識別がなされたことを条件として、上述した（Ｂ）の情報処理装置に使用ディスクが装着された場合の処理が自動的に強制実行されることになる。
【０１７５】
情報処理装置の実行する処理について、図２５に示すフローチャートをサンシヨウして説明する。まず、情報処理装置は、ステップＳ６０１において、未使用ディスクが装着されたことを識別すると、ステップＳ６０２において、ディスクの種類（例えば［ＤＶＤ−Ｒ］，［ＤＶＤ＋Ｒ］，［ＤＶＤ−ＲＷ］，［ＤＶＤ＋ＲＷ］，［ＤＶＤ＋Ｒ  ＤＬ］など）を判別する。
【０１７６】
次に、ステップＳ６０３において、ディスクの初期化を開始する旨のメッセージを表示部に表示し、ステップＳ６０４において、ディスクの種類に応じた処理、具体的には、（Ｂ）の情報処理装置に使用ディスクが装着された場合の処理において説明した、図２０、または図２２、または図２４のシーケンス図に従った処理をディスクの種類に応じて選択して実行する。
【０１７７】
このように、
（Ｂ）情報処理装置に使用ディスクが装着されている場合
（Ｃ）情報処理装置に未使用ディスクが装着されている場合（強制起動）
これらの場合には、装着されたディスクの種類を判別し、図２０、または図２２、または図２４のシーケンス図に従った処理が、判別されたディスクの種類に応じて実行されることになる。これらの処理から理解されるように、ユーザは、情報処理装置１００の表示部に表示される質問に対して、順次応答するのみで、用途に応じた最適なディスクとアプリケーションフォーマットを選択することができ、さらに選択後において必要となる処理も適確に実行可能となり、最適なディスクに対して最適なアプリケーションフォーマットを適用したデータ記録をスムーズに開始することが可能となる。
【０１７８】
最後に、本発明の情報処理装置の構成について、図２６、図２７を参照して説明する。図２６は、上述した処理を実行する機能構成を説明する機能ブロック図であり、図２７は、本発明の情報処理装置の一例としての撮像装置のハードウェア構成例を示すハードウェア構成図である。
【０１７９】
まず、図２６を参照して、本発明の情報処理装置の機能について説明する。図２６に示すブロック図は、上述した処理を実行するために必要となる機能構成を示すブロック図である。図２６に示すように、本発明の情報処理装置４００は、制御部４０１、表示部４０２、入力部４０３、様々な種類のディスクを装着可能な記録部インタフェース４０４を有し、インタフェース４０４を介してディスク４２０に対するデータ記録が実行される。
【０１８０】
制御部４０１は、例えばＣＰＵであり、図示しないメモリに格納されたプログラムに従って、上述した表示部４０２に対するガイド表示処理、入力部４０３を介するユーザ入力情報の検出処理、ディスクまたはアプリケーションフォーマットの決定処理などを行なう。
【０１８１】
表示部４０２は、上述した実施例において説明した様々なガイド画面の表示処理を行なうディスプレイである。入力部４０３は、ユーザによる入力、例えば、ガイド画面に対応する応答入力などの操作情報などを入力する入力部である。なお、表示部４０２がタッチパネル方式などの入力機能を備えた構成である場合は、入力部４０３は表示部４０２と一体化される。
【０１８２】
制御部４０１は、ユーザに対する対話形式のガイド情報を表示部４０２に表示するとともに、入力部４０３を介するユーザ入力の解析処理を行なう。具体的には、表示部４０２に表示するガイド情報に対するユーザ入力に基づいて、ディスクに対する記録データの利用態様を判別して、記録処理に適用するディスク種別またはアプリケーションフォーマットの少なくともいずれかを決定する処理を実行する。先に図４を参照して説明したように、ディスクに対する記録データの利用態様に応じた最適なディスク種類とアプリケーションフォーマットの組み合わせの設定情報、すなわち、
（Ｆ１）ＤＶＤ＋Ｒ  ＤＬ（ＡＶＣＨＤ）
（Ｆ２）ＤＶＤ−Ｒ  （ＡＶＣＨＤ）
（Ｆ３）ＤＶＤ−ＲＷ（ＡＶＣＨＤ）
（Ｆ４）ＤＶＤ＋ＲＷ（ＡＶＣＨＤ）
（Ｆ５）ＤＶＤ＋Ｒ  ＤＬ（ＶＩＤＥＯ）
（Ｆ６）ＤＶＤ−Ｒ（ＶＩＤＥＯ）
（Ｆ７）ＤＶＤ−ＲＷ（ＶＩＤＥＯ）
（Ｆ８）ＤＶＤ＋ＲＷ（＋ＶＲ）
（Ｆ９）ＤＶＤ−ＲＷ（ＶＲ）
これらの設定情報と、表示部４０２に表示するガイド情報に対するユーザ入力に基づいて、ディスクに対する記録データの利用態様を判別して、記録処理に適用するディスク種別またはアプリケーションフォーマットの少なくともいずれかを決定する処理を実行する。
【０１８３】
制御部４０１は、例えば、先に図５を参照して説明したように、高画質（ＨＤ：Ｈｉｇｈ  Ｄｅｆｉｎｉｔｉｏｎ）記録、または標準（ＳＤ：Ｓｔａｎｄａｒｄ  Ｄｅｆｉｎｉｔｉｏｎ）記録のいずれを希望するかの画質確認ガイド画面、また、図６を参照して説明したように、ディスクに記録されるデータの保存を希望するか、ディスクに記録されるデータを消去してディスクを再利用することを希望するかのディスク利用確認ガイド画面、さらに、図も７を参照して説明したように、ディスクに記録されるデータの他機器での再生を希望するか、ディスクに記録されるデータの自機器での編集を希望するかの記録データ利用確認ガイド画面などを表示部４０２に表示し、これらのガイド画面に対するユーザ入力に基づいて、記録処理に適用するディスク種別またはアプリケーションフォーマットの少なくともいずれかを決定する処理を実行する。
【０１８４】
また、制御部４０１は、情報処理装置にディスクが装着されていない場合において、表示部４０２に表示するガイド情報に対するユーザ入力に基づいて、ディスクに対する記録データの利用態様を判別して、記録処理に適した推奨するディスクの種類を決定して、決定したディスク種類の装着を進めるディスク装着要求ガイド画面を前記表示部に表示する。例えば、図１２に示すディスク装着要求ガイド画面３１１であり、各ディスクの種類に応じた識別マークを含めて表示する。
【０１８５】
さらに、制御部４０１は、情報処理装置にディスクが装着されている場合において、装着ディスクのディスク種類を判別し、判別したディスクに対する記録処理に適用するアプリケーションフォーマットを、表示部４０２に表示するガイド情報に対するユーザ入力に基づいて決定する処理を実行する。また、装着ディスクが未使用ディスクであることが検出された場合には、初期化処理の開始画面を表示部４０２に表示した後、ガイド情報を表示する。
【０１８６】
最後に、図２７を参照して、本発明の情報処理装置としての一実施例である撮像装置の具体的なハードウェア構成例について説明する。図２７に示すように、撮像装置５００は、主な処理ブロックとして、撮像手段５１０、記録再生処理手段５２０、制御手段５３０を有し、さらに、記録メディア５６１、入力部５４１、上述の実施例において説明したガイド情報を表示するための表示部５４２、外部機器との接続を行なう接続部（端子）５４３を有している。
【０１８７】
図２６に示す制御部４０１は、図２７に示す制御手段５３０に相当する。図２６に示す表示部４０２は、図２７に示す表示部５４２に相当し、図２６に示す入力部４０３は、図２７に示す入力部５４１に対応する。
【０１８８】
撮像手段５１０は、光学ブロック５１１と、カメラ制御部５１２と、信号変換部５１３と、撮像信号処理部５１４と、音声入力部５１５と、音声信号処理部５１６とを備える。光学ブロック５１１は、内部に、被写体を撮像するためのレンズ群、絞り調整機構、フォーカス調整機構、ズーム機構、シャッター機構、フラッシュ機構、および、手ぶれ補正機構などを備える。カメラ制御部５１２は、制御手段５３０から制御信号を入力し、光学ブロック５１１に供給する制御信号を生成する。そして、生成した制御信号を光学ブロック５１１に供給して、ズーム制御、シャッター制御、および、露出制御などの制御を行なう。
【０１８９】
信号変換部５１３は、例えばＣＣＤ（Ｃｈａｒｇｅ  Ｃｏｕｐｌｅｄ  Ｄｅｖｉｃｅ）などの撮像素子により構成され、その結像面に、光学ブロック５１１を通じた像が結像される。この信号変換部５１３は、シャッター操作に応じて制御部５３０から供給される画像取り込みタイミング信号を受けて、結像面に結像されている被写体像を撮像信号に変換し、撮像信号処理部５１４に供給する。
【０１９０】
撮像信号処理部５１４は、制御部５３０からの制御信号に基づいて、撮像信号についてのガンマ補正やＡＧＣ（Ａｕｔｏ  Ｇａｉｎ  Ｃｏｎｔｒｏｌ）などの処理を行なうとともに、撮像信号をデジタル信号としての画像信号に変換する処理も行なう。音声入力部５１５は、撮影時の被写体周辺の音声を収集する。この音声入力部５１５からの音声信号は音声信号処理部５１６に供給される。音声信号処理部５１６は、制御部３０からの制御信号に基づいて、音声信号についての補正やＡＧＣなどの処理を行なうとともに、音声信号をデジタル信号に変換する処理も行なう。
【０１９１】
記録再生処理手段５２０は、符号化／復号部５２１と、バッファメモリ５２２と、記録部インタフェース５２３とを備える。バッファメモリ５２２は、例えばＳＤＲＡＭなどにより構成され、符号化／復号部５２１における符号化または復号のための作業領域として利用される。符号化／復号部５２１は、撮像手段５１０からの画像信号および音声信号や追加記録情報を符号化し多重化して圧縮データに変換する符号化機能を有する。一方、符号化／復号部５２１は、圧縮データから画像信号および音声信号や追加記録情報を分離して復号する復号機能を有する。また、符号化／復号部５２１は、制御手段５３０からの制御信号に基づき、撮像信号処理部５１４からの画像信号に対して、自動ホワイトバランス制御、露出補正制御、デジタルズーム倍率に応じた拡大制御などをさらに行なう。
【０１９２】
記録部インタフェース５２３は、符号化／復号部５２１から圧縮データを受けて記録メディア５６１に書き込む。また、記録部インタフェース５２３は、記録メディア５６１から圧縮データを読み出して符号化／復号部５２１、あるいは制御手段５３０に供給する。
【０１９３】
制御手段５３０は、入出力Ｉ／Ｆ５３６を介して接続部（端子）５４３に装着されたケーブルを介して接続された外部機器としてのたとえばテレビに符号化／復号部５２１において復号されたデータを出力する。
【０１９４】
制御手段５３０は、各種の制御プログラムを実行するＣＰＵ５３１と、ＲＯＭ（Ｒｅａｄ  Ｏｎｌｙ  Ｍｅｍｏｒｙ）５３２と、ＲＡＭ（Ｒａｎｄｏｍ  Ａｃｃｅｓｓ  Ｍｅｍｏｒｙ）５３３と、入力部５４１を接続するための操作入力インタフェース５３４と、前述した様々なガイド情報の表示を行なう表示部５４２の表示制御を行なう表示制御部５３５と、接続部５４３を利用したデータ入出力のための入出力Ｉ／Ｆ５３６と、例えば、撮影時刻などを計測するための時計回路５３７がシステムバスを介して接続されることにより構成される。表示部５４２におけるユーザの操作情報は、操作入力インタフェース５３４を介してＣＰＵ５３１に入力され、入力情報に基づく制御がなされる。
【０１９５】
制御手段５３０は、先に図を参照して説明したように、さまざまなガイド情報を表示部５４２に表示し、さらに、表示部５４２に表示するガイド情報に対するユーザ入力に基づいて、記録メディア５６１としてのディスクに対する記録データの利用態様を判別して、記録処理に適用するディスク種別またはアプリケーションフォーマットの少なくともいずれかを決定する処理を実行する。
【０１９６】
ＣＰＵ５３１は制御手段５３０全体の処理を司るものであり、作業領域としてＲＡＭ５３３を使用する。ＲＯＭ５３２には、撮像手段５１０を制御するためのプログラムや、画像信号や音声信号の記録制御および再生制御、前述のガイド情報表示処理や、ディスク種別およびアプリケーションフォーマットの決定処理などを実行するためのプログラムが記録されている。
【０１９７】
操作入力インタフェース５３４には、入力部５４１からのユーザ入力、たとえば、上述したガイド表示に対応するユーザの入力の他、撮像装置における各種の操作部、例えば、ズーム調整キー、露出調整のためのキー、シャッターキー、動画撮影用キーなどの複数の操作部からの入力情報が入力される。
【０１９８】
表示制御部５３５に接続される表示部５４２は、例えばＬＣＤ（Ｌｉｑｕｉｄ  Ｃｒｙｓｔａｌ  Ｄｉｓｐｌａｙ）などにより構成され、制御手段５３０の制御の下に、撮像手段５１０からの画像信号や、記録媒体５６０から読み出された画像信号を表示するとともに、前述したガイド情報の表示が行なわれる。なお、表示部５４２は、ユーザの操作情報を入力可能としたユーザインタフェースとして設定可能である。
【０１９９】
なお、図２７に示す撮像装置５００は、本発明の情報処理装置の１つの例であり、先にも説明したように、本発明は、撮像装置に限らず、ケーブル接続によるデータ入出力を行なう機器において適用可能であり、本発明の情報処理装置は、例えばビデオやＤＶＤ再生機器など、データの入出力を行なう機器全般を含むものである。
【０２００】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０２０１】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０２０２】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０２０３】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０２０４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２０５】
以上、説明したように、本発明の一実施例の構成によれば、ユーザに対する対話形式のガイド情報を表示部に表示し、入力部を介するユーザ入力の解析処理を行ない、表示部に表示するガイド情報に対するユーザ入力に基づいて、ディスクに対する記録データの利用態様を判別して、記録処理に適用するディスク種別やアプリケーションフォーマットを決定する構成としたので、ユーザは、情報処理装置の表示部に表示される質問に対して、順次応答するのみで、用途に応じた最適なディスクとアプリケーションフォーマットを選択することができ、さらに選択後において必要となる処理も適確に実行可能となり、最適なディスクに対して最適なアプリケーションフォーマットを適用したデータ記録をスムーズに開始することが可能となり、利便性を向上させた情報記録処理装置が実現される。
【図面の簡単な説明】
【０２０６】
【図１】本発明の情報処理装置のディスク利用態様について説明する図である。
【図２】ディスクの種類（物理フォーマット）について説明する図である。
【図３】アプリケーションフォーマットの種類について説明する図である。
【図４】本発明の一実施例に係る情報処理装置の実行する処理の処理シーケンスを説明する図である。
【図５】本発明の情報処理装置の表示部に表示されるガイド画面の構成例について説明する図である。
【図６】本発明の情報処理装置の表示部に表示されるガイド画面の構成例について説明する図である。
【図７】本発明の情報処理装置の表示部に表示されるガイド画面の構成例について説明する図である。
【図８】本発明の情報処理装置の表示部に表示されるガイド画面の構成例について説明する図である。
【図９】本発明の情報処理装置の表示部に表示されるガイド画面の構成例について説明する図である。
【図１０】本発明の情報処理装置の表示部に表示されるガイド画面の構成例について説明する図である。
【図１１】本発明の一実施例に係る情報処理装置の実行する処理の処理シーケンスを説明する図である。
【図１２】本発明の情報処理装置の表示部に表示されるガイド画面の構成例について説明する図である。
【図１３】本発明の情報処理装置の表示部に表示されるガイド画面の構成例について説明する図である。
【図１４】本発明の情報処理装置の表示部に表示されるガイド画面の構成例について説明する図である。
【図１５】本発明の情報処理装置の表示部に表示されるガイド画面の構成例について説明する図である。
【図１６】本発明の情報処理装置の表示部に表示されるガイド画面の構成例について説明する図である。
【図１７】本発明の情報処理装置の表示部に表示されるガイド画面の構成例について説明する図である。
【図１８】本発明の情報処理装置の表示部に表示されるガイド画面の構成例について説明する図である。
【図１９】本発明の一実施例に係る情報処理装置の実行する処理の処理シーケンスを説明する図である。
【図２０】本発明の一実施例に係る情報処理装置の実行する処理の処理シーケンスを説明する図である。
【図２１】本発明の一実施例に係る情報処理装置の実行する処理の処理シーケンスを説明する図である。
【図２２】本発明の一実施例に係る情報処理装置の実行する処理の処理シーケンスを説明する図である。
【図２３】本発明の一実施例に係る情報処理装置の実行する処理の処理シーケンスを説明する図である。
【図２４】本発明の一実施例に係る情報処理装置の実行する処理の処理シーケンスを説明する図である。
【図２５】本発明の一実施例に係る情報処理装置の実行する処理の処理シーケンスを説明する図である。
【図２６】本発明の一実施例に係る情報処理装置の機能構成を説明するブロック図ある。
【図２７】本発明の情報処理装置の一実施例に係る撮像装置のハードウェア構成例について説明する図である。
【符号の説明】
【０２０７】
１００  情報処理装置
１０２  ディスク
１２０  表示部
２０１〜２０３  ガイド画面
２１１〜２１５  ガイド画面
３１１〜３１７  ガイド画面
４００  情報処理装置
４０１  制御部
４０２  表示部
４０３  入力部
４０４  記録部Ｉ／Ｆ
４２０  ディスク
５００  撮像装置
５１０  撮像手段
５１１  光学ブロック
５１２  カメラ制御部
５１３  信号変換部
５１４  映像信号処理部
５１５  音声入力部
５１６  音声信号処理部
５２０  記録再生処理手段
５２１  符号化／復号部
５２２  バッファメモリ
５２３  記録部Ｉ／Ｆ
５３０  制御手段
５３１  ＣＰＵ
５３２  ＲＯＭ
５３３  ＲＡＭ
５３４  操作入力Ｉ／Ｆ
５３５  表示制御部
５３６  入出力Ｉ／Ｆ
５３７  時間計測部
５４１  入力部
５４２  表示部
５４３  接続部（端子）
５６１  記録メディア
【図２】
2008021343.tif 000003
【図３】
2008021343.tif 000004
【図４】
2008021343.tif 000005
【図１１】
2008021343.tif 000006
【図１９】
2008021343.tif 000007
【図２０】
2008021343.tif 000008
【図２１】
2008021343.tif 000009
【図２２】
2008021343.tif 000010
【図２３】
2008021343.tif 000011
【図２４】
2008021343.tif 000012
【図２５】
2008021343.tif 000013
【図２６】
2008021343.tif 000014
【図２７】
2008021343.tif 000015
【図１】
2008021343.tif 000016
【図５】
2008021343.tif 000017
【図６】
2008021343.tif 000018
【図７】
2008021343.tif 000019
【図８】
2008021343.tif 000020
【図９】
2008021343.tif 000021
【図１０】
2008021343.tif 000022
【図１２】
2008021343.tif 000023
【図１３】
2008021343.tif 000024
【図１４】
2008021343.tif 000025
【図１５】
2008021343.tif 000026
【図１６】
2008021343.tif 000027
【図１７】
2008021343.tif 000028
【図１８】
2008021343.tif 000029